(57)【要約】【課題】計数対象の紙幣Ｂを、計数動作中に常時、見ることができるようにする。【解決手段】紙幣計数装置１は、紙幣Ｂがセットされるよう構成されたセット部２と、保持部４と、搬送部５と、識別部３と、を備える。セット部２及び保持部４は、セットされた紙幣Ｂ及び保持された紙幣Ｂの少なくとも一部を見ることができるよう構成される。搬送路５１、５２、５３は、搬送路に沿って紙幣が搬送されている最中に、紙幣の少なくとも一部分を、常時、見ることができるように構成されている。【選択図】図１
2016197317.tif 000002
【特許請求の範囲】
【請求項１】
紙幣の識別及び計数を行うように構成された紙幣計数装置であって、
計数対象の前記紙幣がセットされるよう構成されたセット部と、
前記セット部から繰り出された前記紙幣の識別及び計数を行うよう構成された識別部と、
前記識別部が識別を行った後の前記紙幣を保持するよう構成された保持部と、
前記セット部と前記保持部との間をつなぐ搬送路を有しかつ、前記セット部から繰り出された前記紙幣を一枚ずつ、前記識別部を通過させた後、前記保持部にまで搬送するよう構成された搬送部と、を備え、
前記セット部は、当該セット部にセットされた前記紙幣の少なくとも一部分を見ることができるように構成され、
前記保持部は、当該保持部に保持した前記紙幣の少なくとも一部分を見ることができるように構成され、
前記搬送部は、前記搬送路に沿って前記紙幣が搬送されている最中に、前記紙幣の少なくとも一部分を、常時、見ることができるように構成されていることを特徴とする紙幣計数装置。
【請求項２】
前記搬送路は、搬送される前記紙幣の表面及び裏面に相対するように配置されたガイドによって構成され、前記ガイド同士の間には、前記搬送路に沿って開口する開口部が設けられており、
前記搬送部は、前記紙幣の一部分が前記開口部から外に飛び出した状態で、前記紙幣を前記搬送路に沿って搬送することを特徴とする請求項１に記載の紙幣計数装置。
【請求項３】
前記識別部は、前記紙幣が進入する入口部と、前記紙幣が退出する出口部とを有するトンネル状に構成され、
前記識別部は、前記紙幣が通過をするときに、前記紙幣の搬送方向先側の一部分が前記出口部から出た状態で、前記紙幣の搬送方向後側の一部分が前記入口部に入る前の状態になる形状であることを特徴とする請求項２に記載の紙幣計数装置。
【請求項４】
前記セット部は、少なくとも上向きに開放されていると共に、前記紙幣の長手の縁を下にして立てた状態に、前記紙幣をセットするように構成され、
前記搬送路の開口部は上向きに開口していて、前記搬送部は、前記紙幣の上部が前記開口部から外に飛び出すように、前記紙幣を立てた状態で、長手搬送するように構成され、
前記保持部は、少なくとも上向きに開放されていると共に、前記紙幣の長手の縁を下にして立てた状態に、前記紙幣を保持するように構成されていることを特徴とする請求項２又は３に記載の紙幣計数装置。
【請求項５】
前記識別部は、前記紙幣の表面及び裏面の画像を取得する光学センサと、前記紙幣の厚みを検知する厚みセンサと、前記紙幣の磁気特性を検知する磁気センサと、を有し、
前記光学センサは、立てた状態で長手搬送される前記紙幣の短手長さの全域に亘って延びて配設され、
前記厚みセンサ及び前記磁気センサはそれぞれ、前記開口部よりも下側であって、前記紙幣において前記ガイドによって覆われる部分に対応する高さに配設されていることを特徴とする請求項４に記載の紙幣計数装置。
【請求項６】
前記光学センサ、前記厚みセンサ及び前記磁気センサは、前記紙幣の搬送方向に順に並んでいることを特徴とする請求項５に記載の紙幣計数装置。
【請求項７】
前記セット部は、少なくとも上向きに開放されていると共に、前記紙幣の長手の縁を下にして立てた状態に、前記紙幣をセットするように構成され、
前記搬送路の開口部は上向きに開口していて、前記搬送部は、前記紙幣の上部が前記開口部から外に飛び出すように、前記紙幣を立てた状態で、長手搬送するように構成され、
前記保持部は、少なくとも上向きに開放されていると共に、前記紙幣の長手の縁を下にして立てた状態に、前記紙幣を保持するように構成され、
前記識別部の前記入口部は、前記紙幣の搬送方向に対して上り勾配となるよう傾斜していることを特徴とする請求項３に記載の紙幣計数装置。
【請求項８】
前記識別部内に前記紙幣を送り出すガイドローラーは、前記入口部の傾斜箇所に対応する搬送方向の位置に配設されている請求項７に記載の紙幣計数装置。
【請求項９】
前記開口部から外に飛び出した前記紙幣を覆うように設けられかつ、光透過性の材料によって構成されたカバー部材をさらに備え、
前記搬送路に沿って搬送されている前記紙幣の少なくとも一部は、前記カバー部材を通じて、常時、見ることができるように構成されていることを特徴とする請求項２〜８のいずれか１項に記載の紙幣計数装置。
【請求項１０】
前記搬送路の少なくとも一部は、光透過性の材料によって構成されており、
前記搬送路に沿って搬送されている前記紙幣の少なくとも一部は、前記搬送路において、前記光透過性の材料によって構成された部分を通じて、常時、見ることができるように構成されていることを特徴とする請求項１〜９のいずれか１項に記載の紙幣計数装置。
【発明の詳細な説明】
【技術分野】
【０００１】
ここに開示する技術は、紙幣計数装置に関する。
【背景技術】
【０００２】
特許文献１には、紙幣の識別及び計数を行う紙幣計数装置が記載されている。この装置は、卓上型である。この紙幣計数装置は、筐体の上部に設けられかつ、計数対象の紙幣が置かれる取込部と、筐体内に配設されかつ、紙幣の識別を行う識別部と、識別後の紙幣が集積される集積部と、を備えている。
【先行技術文献】
【特許文献】
【０００３】
【特許文献１】特開２０１３−２５０９０９号公報
【発明の概要】
【発明が解決しようとする課題】
【０００４】
ところで、前記特許文献１に記載されている紙幣計数装置では、取込部（紙幣をセットするセット部に相当）に置かれた紙幣は、一旦、筐体の内部に送り込まれ、その後に、筐体の外に開口する集積部（紙幣を保持する保持部に相当）に集積される。人は、取込部に置かれた紙幣を見ることができると共に、集積部に集積された紙幣も、見ることができる。ところが、取込部から集積部までの間は、人は、紙幣を見ることができない。
【０００５】
こうした紙幣計数装置は、例えば遊技場等の施設において、遊技場の担当者が客から手渡された紙幣の識別及び計数を行う際に利用することがある。紙幣計数装置を利用することによって、紙幣の計数を正確に行うことが可能になる。しかしながら、計数の際に、紙幣計数装置の内部に紙幣が一旦取り込まれて見えなくなると、客から手渡されて取込部に置いた紙幣と、筐体の内部を通過して集積部に集積された紙幣とが同じであることを、客に対し示すことが難しくなる。その結果、計数結果の信頼性が損なわれる。
【０００６】
ここに開示する技術はかかる点に鑑みてなされたものであり、その目的とするところは、計数対象の紙幣を、計数動作中に常時、見ることができるようにすることにある。
【課題を解決するための手段】
【０００７】
ここに開示する技術は、紙幣の識別及び計数を行うように構成された紙幣計数装置に関する。この紙幣計数装置は、計数対象の前記紙幣がセットされるよう構成されたセット部と、前記セット部から繰り出された前記紙幣の識別及び計数を行うよう構成された識別部と、前記識別部が識別を行った後の前記紙幣を保持するよう構成された保持部と、前記セット部と前記保持部との間をつなぐ搬送路を有しかつ、前記セット部から繰り出された前記紙幣を一枚ずつ、前記識別部を通過させた後、前記保持部にまで搬送するよう構成された搬送部と、を備える。
【０００８】
そして、前記セット部は、当該セット部にセットされた前記紙幣の少なくとも一部分を見ることができるように構成され、前記保持部は、当該保持部に保持した前記紙幣の少なくとも一部分を見ることができるように構成され、前記搬送部は、前記搬送路に沿って前記紙幣が搬送されている最中に、前記紙幣の少なくとも一部分を、常時、見ることができるように構成されている。
【０００９】
この構成によると、紙幣は、セット部から搬送路に沿って搬送されて保持部に至る。紙幣がセット部から保持部に至るまでの間に、識別部は紙幣の識別及び計数を行う。
【００１０】
セット部は、セットされた紙幣の少なくとも一部分を見ることができるように構成されている。保持部も、保持している紙幣の少なくとも一部分を見ることができるように構成されている。
【００１１】
搬送部は、搬送中の紙幣の一部分を、常時、見ることができる構成されている。搬送中の紙幣も見ることができる。
【００１２】
従って、この紙幣計数装置は、紙幣がセット部から、識別部を経て、保持部に至るまでの間、常に、紙幣を見ることができるように構成されている。この紙幣計数装置は、人が紙幣を見ながら計数を行うため、計数結果の高い信頼性を確保することができる。
【００１３】
前記搬送路は、搬送される前記紙幣の表面及び裏面に相対するように配置されたガイドによって構成され、前記ガイド同士の間には、前記搬送路に沿って開口する開口部が設けられており、前記搬送部は、前記紙幣の一部分が前記開口部から外に飛び出した状態で、前記紙幣を前記搬送路に沿って搬送する、としてもよい。
【００１４】
こうすることで、搬送部は、ガイド同士の間に設けられた開口部から、紙幣の一部分が外に飛び出した状態で、紙幣を搬送路に沿って搬送するよう構成されている。人は、搬送中の紙幣を、常に見ることができる。
【００１５】
前記識別部は、前記紙幣が進入する入口部と、前記紙幣が退出する出口部とを有するトンネル状に構成され、前記識別部は、前記紙幣が通過をするときに、前記紙幣の搬送方向先側の一部分が前記出口部から出た状態で、前記紙幣の搬送方向後側の一部分が前記入口部に入る前の状態になる形状である、としてもよい。
【００１６】
この構成によると、識別部は、入口部から進入した紙幣が、出口部から退出するトンネル状に構成されている。識別部はまた、紙幣の搬送方向先側の一部分が出口部から出た状態で、紙幣の搬送方向後側の一部分が入口部に入る前の状態になる形状である。従って、紙幣が識別部を通過するときにも、紙幣の全体が識別部の内部に入って外から見えなくなることが回避される。人は、紙幣がセット部から識別部を経て保持部に至るまでの間、常に、その紙幣を見ることができる。
【００１７】
前記セット部は、少なくとも上向きに開放されていると共に、前記紙幣の長手の縁を下にして立てた状態に、前記紙幣をセットするように構成され、前記搬送路の開口部は上向きに開口していて、前記搬送部は、前記紙幣の上部が前記開口部から外に飛び出すように、前記紙幣を立てた状態で、長手搬送するように構成され、前記保持部は、少なくとも上向きに開放されていると共に、前記紙幣の長手の縁を下にして立てた状態に、前記紙幣を保持するように構成されている、としてもよい。
【００１８】
セット部は上向きに開放されているため、セット部に立てた状態でセットされた紙幣は、装置の上方から見ることができる。保持部も上向きに開放されているため、保持部に立てた状態で保持された紙幣も、装置の上方から見ることができる。また、搬送路に沿って搬送されている紙幣も、上向きに開口する開口部から、外に飛び出すように立てた状態であるため、装置の上方から見ることができる。こうして、紙幣計数装置が紙幣の計数を行う際に、人は、常に、紙幣を、装置の上方から見ることができる。
【００１９】
前記識別部は、前記紙幣の表面及び裏面の画像を取得する光学センサと、前記紙幣の厚みを検知する厚みセンサと、前記紙幣の磁気特性を検知する磁気センサと、を有し、前記光学センサは、立てた状態で長手搬送される前記紙幣の短手長さの全域に亘って延びて配設され、前記厚みセンサ及び前記磁気センサはそれぞれ、前記開口部よりも下側であって、前記紙幣において前記ガイドによって覆われる部分に対応する高さに配設されている、としてもよい。
【００２０】
こうすることで、光学センサは、紙幣の短手長さの全域に亘って延びて配設されるため、紙幣の表面全体の画像及び裏面全体の画像を取得することが可能になる。識別（例えば、真偽、正損、及び、金種の識別）に利用する情報を多くすることができ、識別の精度が向上する。また、識別を、多くの情報に基づいて速やかに行うことができ、識別に要する時間も短縮する。
【００２１】
一方、厚みセンサ及び磁気センサは、搬送路の開口部よりも下側であって、立てた状態の紙幣において、ガイドによって覆われる部分に対応する高さに配設されている。このため、厚みセンサ及び磁気センサは、紙幣において開口部から飛び出した部分の情報は取得することができない。しかしながら、紙幣の厚みを検出することによって、紙幣が二枚以上重なっていないか否かを判定するだけであれば、紙幣の一部分において厚みを検出すれば、正確な判定を行うことが可能である。また、磁気センサについても取得することができる情報量は少なくなるものの、前述の通り、この紙幣計数装置は、計数対象の紙幣を人が見ながら、計数を行うことが可能である。磁気センサによって取得することができる情報量が少なくなったとしても、磁気センサの取得する情報と人が視認する情報とで紙幣が識別できるので、この紙幣計数装置は、識別の精度が低くならず、高い信頼性を確保することが可能である。
【００２２】
前記光学センサ、前記厚みセンサ及び前記磁気センサは、前記紙幣の搬送方向に順に並んでいる、としてもよい。
【００２３】
こうすることで、識別部を、立てた状態で通過する紙幣について、表面及び裏面の画像、厚みの情報、及び磁気特性を、光学センサ、厚みセンサ及び磁気センサによって、順に取得することが可能になる。
【００２４】
前記セット部は、少なくとも上向きに開放されていると共に、前記紙幣の長手の縁を下にして立てた状態に、前記紙幣をセットするように構成され、前記搬送路の開口部は上向きに開口していて、前記搬送部は、前記紙幣の上部が前記開口部から外に飛び出すように、前記紙幣を立てた状態で、長手搬送するように構成され、前記保持部は、少なくとも上向きに開放されていると共に、前記紙幣の長手の縁を下にして立てた状態に、前記紙幣を保持するように構成され、前記識別部の前記入口部は、前記紙幣の搬送方向に対して上り勾配となるよう傾斜している、としてもよい。
【００２５】
こうすることで、紙幣の搬送方向先側の縁部が曲がっていたり、折れ気味であったりしたときでも、入口部が上り勾配となるように傾斜しているため、紙幣の搬送方向先側の縁部と、入口部とが徐々に交差しながら、紙幣が入口部に進入する。このことによって、紙幣の搬送方向先側の縁部の曲がりや折れを矯正することができる。識別部の入口部において、紙幣の詰まりが生じることが抑制される。
【００２６】
前記識別部内に前記紙幣を送り出すガイドローラーは、前記入口部の傾斜箇所に対応する搬送方向の位置に配設されている、としてもよい。
【００２７】
紙幣を送り出すガイドローラーの配設箇所には力が加わる。ガイドローラーを、入口部の傾斜箇所に対応する搬送方向の位置に配設することによって、ガイドローラーの配設箇所の強度を確保することができる。
【００２８】
前記紙幣計数装置は、前記開口部から外に飛び出した前記紙幣を覆うように設けられかつ、光透過性の材料によって構成されたカバー部材をさらに備え、前記搬送路に沿って搬送されている前記紙幣の少なくとも一部は、前記カバー部材を通じて、常時、見ることができるように構成されている、としてもよい。
【００２９】
カバー部材によって、搬送中の紙幣を保護することが可能になる。紙幣の搬送をスムースに行うことが可能になる。
【００３０】
前記搬送路の少なくとも一部は、光透過性の材料によって構成されており、前記搬送路に沿って搬送されている前記紙幣の少なくとも一部は、前記搬送路において、前記光透過性の材料によって構成された部分を通じて、常時、見ることができるように構成されている、としてもよい。
【００３１】
この構成でも、搬送中の紙幣を、常時見ることができるようになる。つまり、紙幣の一部分が搬送路に設けた開口部から外に飛び出した状態で、紙幣を搬送する必要がない。これにより、搬送中の紙幣を保護するように搬送路を構成することが可能になり、紙幣の搬送をスムースに行うことが可能になる。尚、紙幣の一部分が搬送路に設けた開口部から外に飛び出すように搬送路を構成しつつも、その搬送路の一部を光透過性の材料によって構成してもよい。
【発明の効果】
【００３２】
前記の紙幣計数装置によると、紙幣の計数を行う際に、紙幣を常に見ることができる。
【図面の簡単な説明】
【００３３】
【図１】紙幣計数装置を前側から見た外観を示す斜視図である。
【図２】紙幣計数装置を後側から見た外観を示す斜視図である。
【図３】紙幣計数装置の平面図である。
【図４】紙幣計数装置の構成を示すブロック図である。
【図５】紙幣計数装置の識別部の構成を示す断面図である。
【図６】紙幣計数装置の搬送部に関する変形例を示す斜視図である。
【図７】紙幣計数装置の識別部に関する変形例を示す斜視図である。
【図８】紙幣計数装置のガイドを使用状態にした図、及び、開放状態にした図である。
【図９】ガイドを開放状態にした、紙幣計数装置の正面図である。
【図１０】第１ガイドの内側部分を示す斜視図である。
【図１１】切替部が第１位置にあるときのリジェクト部の構成を示す概略図である。
【図１２】切替部の平面図である。
【図１３】切替部が第２位置にあるときのリジェクト部の構成を示す概略図である。
【図１４】セット部の内部構造の斜視図である。
【図１５】セット状態におけるセット部の一部を上方から見た図である。
【図１６】セット状態におけるセット部の一部を前方から見た図である。
【図１７】繰り出し状態におけるセット部の一部を上方から見た図である。
【図１８】紙幣計数装置のセット部に関する変形例を示す図である。
【図１９】変形例に係る繰り出しベルトのフレームを下方から見た図である。
【図２０】保持部の構造を示す平面図である。
【図２１】保持部に設けられたライトアップ構造を示す斜視図である。
【図２２】ライトアップ構造を示す断面図である。
【図２３】紙幣計数装置のコネクタまわりの構成を示す斜視図である。
【図２４】第２ディスプレイが取り付けられた箇所周辺の拡大図である。
【図２５】紙幣計数装置のディスプレイに関する変形例を示す平面図である。
【図２６】第１ディスプレイを装置本体から外した状態を示す図である。
【図２７】紙幣計数装置においてチップ交換パターンの表示に関連する機能構成を示すブロック図である。
【図２８】画面表示の例であり、（ａ）は紙幣計数時の画面例、（ｂ）はチップ交換パターンの表示画面例、（ｃ）は選択されたチップ交換パターンの表示画面例である。
【図２９】紙幣計数からチップ交換までの、紙幣処理装置およびこれを操作する担当者の動作の例を示すフローチャートである。
【図３０】候補表示モードにおいて選択されたチップ交換パターンを強調表示した画面の例である。
【図３１】（ａ），（ｂ）は通貨識別情報及び紙幣の計数値の両方を示す表示画面の一例である。
【図３２】（ａ）〜（ｄ）は紙幣計数装置の動作状態に伴う画面表示の変化の一例である。
【図３３】（ａ），（ｂ）は通貨識別情報及び紙幣の計数値の両方を示す表示画面の他の例である。
【図３４】（ａ），（ｂ）は通貨識別情報及び紙幣の計数値の両方を示す表示画面の他の例である。
【発明を実施するための形態】
【００３４】
以下、紙幣計数装置の実施形態を、図面を参照しながら説明する。尚、以下の説明は、紙幣計数装置の一例を示すものである。
【００３５】
（装置の全体構成）
図１及び図２は、紙幣計数装置１（以下、単に装置１とも呼ぶ）の外観を示している。装置１は、紙幣の識別と計数とを行う。装置１は、少なくとも紙幣の真偽及び金種を識別する。装置１は、複数の通貨の識別及び計数が可能である。計数対象の通貨は、予め設定される。計数対象の通貨は、変更が可能である。装置１は、例えば遊技場等の施設において、客から手渡された紙幣の識別及び計数を行うために用いられる。客は、例えば、紙幣を、遊技に使用するチップに両替する際に、遊技場の担当者に紙幣を手渡す。
【００３６】
装置１は、テーブル、カウンター、机、及び、台等の上に置かれて使用される卓上型である。装置１は小型であり、テーブル等の上に置いても場所をとらない。尚、以下においては、説明の便宜上、図１における紙面右手前を装置１の前、紙面左奥を装置１の後ろ、紙面右奥を装置１の右、紙面左手前を装置１の左と呼ぶ。担当者は、通常は、装置１の前面を自分の方に向けて装置１を使用する。
【００３７】
装置１は、上部１１と下部１２との、上下方向に重なる２つの部位から構成される。装置１の上部１１と下部１２とは、仕切板１３によって隔てられる。
【００３８】
装置１の上部１１は、計数対象の紙幣を搬送しながら、識別と計数とを行うよう構成されている。装置１は、計数対象の紙幣がセットされるよう構成されたセット部２と、紙幣の識別及び計数を行うよう構成された識別部３と、識別を行った紙幣を保持するよう構成された保持部４と、セット部２から繰り出された紙幣を、一枚ずつ識別部３を通過させて保持部４にまで搬送するよう構成された搬送部５と、を備えている。
【００３９】
装置１の下部は、装置１を動作させるために必要な各種の機器を収容するよう構成されている。具体的に、図１、２では図示を省略するが、装置１の下部は、各部２、３、４及び５の動作を制御する制御部６（図４参照）を収容する。装置１の下部はまた、各部２、３、４及び５において行う各種動作の駆動源であるモータや、駆動力を伝達する歯車等を収容する。さらに、装置１の下部には、コネクタ７（図４、図２３参照）が設けられている。コネクタ７には、装置１に電力を供給する電源コードや、装置１を外部装置に対して接続する、又は、外部装置を装置１に接続するためのケーブルが接続される。
【００４０】
装置１はまた、ここに開示する例では、第１ディスプレイ８１と、第２ディスプレイ８２との２つのディスプレイを備えている。第１ディスプレイ８１は、主に担当者が見るためのディスプレイである。第２ディスプレイ８２は、主に客が見るためのディスプレイである。第１ディスプレイ８１及び第２ディスプレイ８２の表示内容は、例えば遊技場等の施設の天井部等に取り付けた監視カメラからも確認することが可能である。
【００４１】
セット部２は、図１及び図３に示すように、装置１の前部右側に配置される。仕切板１３の上面は、セット部２において紙幣Ｂをセットするセット面として機能する。セット部２は、図１に２点鎖線で示すように、紙幣Ｂの長手の縁を下にして、仕切板１３の上面に立てた状態に、紙幣Ｂをセットするように構成されている。セット部２は、装置１の上方及び前方に開放されている。セット部２に紙幣Ｂをセットしたときに、紙幣Ｂの上部及び搬送方向後部（後述するように、紙幣Ｂの搬送方向の進み側を紙幣Ｂの先、その逆側を紙幣Ｂの後としたときの後部）はそれぞれ、装置１の上方及び前方に飛び出す。担当者及び客は、セット部２にセットした紙幣Ｂの、少なくとも一部を見ることができる。
【００４２】
セット部２は、複数枚の紙幣Ｂを、水平方向に並べた状態で一度にセットすることが可能に構成されている。大きさの異なる紙幣Ｂが混ざり合っていてもよい。セット部２は、紙幣Ｂの繰り出し機構を有している。繰り出し機構は、セット部２にセットされた紙幣Ｂを一枚ずつ繰り出す。
【００４３】
識別部３は、装置１の前後方向中央部の右側に配置される。識別部３とセット部２とは、装置１の前後方向に隣り合っている。識別部３は、紙幣Ｂが進入する入口部３４１及び紙幣Ｂが退出する出口部３４２を有している。セット部２から繰り出された紙幣は、識別部３を通過する。識別部３は、紙幣Ｂに関する情報を取得するセンサを有している。識別部３は、紙幣Ｂが通過をする際にセンサが取得した情報に基づいて、当該紙幣Ｂが受け入れ可能な正常紙幣であるか、受け入れ不可能なリジェクト紙幣であるかを判定する。識別部３はまた、正常紙幣の計数を行う。
【００４４】
保持部４は、装置１の前部左側に配置される。保持部４とセット部２とは、装置１の左右方向に隣り合っている。仕切板１３の上面は、保持部４において紙幣Ｂを保持する保持面として機能する。保持部４は、紙幣Ｂの長手の縁を下にして、仕切板１３の上面に立てた状態で紙幣Ｂを保持する。保持部４は、複数枚の紙幣Ｂを、水平方向に並べた状態で、一度に保持することができるよう構成されている。保持部４は、装置１の上方、前方及び左側方に開放されている。図１に２点鎖線で示すように、保持部４に保持されている紙幣Ｂの上部は、保持部４から上方に飛び出す。担当者及び客は、保持部４に保持されている紙幣Ｂを見ることができる。
【００４５】
搬送部５は、セット部２から保持部４に至るように設けられる搬送路を有している。図３に示すように、搬送路は、第１搬送路５１、第２搬送路５２、及び第３搬送路５３から構成されている。搬送路は全体として、平面視でＵ字状をなすように配設されている。
【００４６】
搬送部５は、仕切板１３の上面に紙幣Ｂを立てた状態で、一枚ずつ長手搬送する。各搬送路５１、５２、５３は、水平方向に所定の間隔を空けて配設されるガイド５５、５６、５７によって構成されている。ガイド５５、５６、５７は、立てた状態で搬送される紙幣Ｂの表面及び裏面に相対する。ガイド５５、５６、５７の高さは、紙幣Ｂの高さ（つまり、短手長さ）よりも低い。ガイドとガイドとの間には、上向きに開口する開口部５０が設けられる。図１に２点鎖線で示すように、搬送中の紙幣Ｂの上部は、この開口部５０から上方に飛び出す。担当者及び客は、搬送中の紙幣Ｂを見ることができる。
【００４７】
第１搬送路５１と第２搬送路５２との接続部分には、図２に示すように、分岐路５８が接続されている。第２搬送路５２の一部と分岐路５８とでリジェクト部５４を構成する。リジェクト部５４は、識別部３によって、リジェクト紙幣と判定された紙幣Ｂを排出する部分である。リジェクト部５４は、上方に開放していると共に、装置１の後部の右側面に開口し、リジェクト口５４ａを形成している。図２に２点鎖線で示すように、リジェクト部５４に払い出されたリジェクト紙幣Ｂの一部は、リジェクト口５４ａから装置１の右側方に飛び出すと共に、リジェクト紙幣Ｂの上部は、リジェクト部５４から上方に飛び出す。担当者及び客は、リジェクト紙幣Ｂを見ることができる。
【００４８】
図４は、装置１の動作に関係するブロック図を示している。セット部２、識別部３、保持部４及び搬送部５は、信号の送受が可能となるよう制御部６に電気的に接続されている。
【００４９】
また、第１ディスプレイ８１及び第２ディスプレイ８２も、制御部６に、電気的に接続されている。第１ディスプレイ８１は、タッチパネル式のディスプレイによって構成されている。担当者は、第１ディスプレイ８１において、各種の操作を行うことが可能である。第２ディスプレイ８２は、タッチパネル式のディスプレイではなく、表示のみを行う。第１ディスプレイ８１及び第２ディスプレイ８２には、少なくとも計数結果が表示される。
【００５０】
制御部６には、第１センサ６１、第２センサ６２、第３センサ６３、第４センサ６４及び第５センサ６５が接続される。第１〜第５センサ６１〜６５はそれぞれ、紙幣Ｂを検知すると共に、検知信号を制御部６に出力する。図３に示すように、第１センサ６１は、セット部２の近傍に配設されている。第１センサ６１は、セット部２に紙幣Ｂがセットされたことを検知する。第２センサ６２は、第２搬送路５２に配設されている。第２センサ６２が紙幣Ｂの通過を検知したときに、後述するように、正常紙幣とリジェクト紙幣との搬送の切り替えを行う。第３センサ６３は第３搬送路５３に配設されている。第３センサ６３は、紙幣Ｂが保持部４に払い出されたことを検知する。第４センサ６４は、リジェクト口５４ａの近傍に配設されている。第４センサ６４は、リジェクト口５４ａに払い出された紙幣Ｂが、リジェクト口５４ａから抜き取られたことを検知する。第５センサ６５は、保持部４に配設されている。第５センサ６５は、保持部４に保持されていた紙幣Ｂが取り除かれたことを検知する。
【００５１】
次に、装置１の計数動作について説明する。担当者が、客から手渡された紙幣Ｂをセット部２にセットすると、第１センサ６１が紙幣Ｂを検知する。制御部６は、第１センサ６１の検知結果を受けて、セット部２から紙幣Ｂを一枚ずつ繰り出す。
【００５２】
セット部２から繰り出された紙幣Ｂは識別部３を通過する。識別部３は、センサによって紙幣Ｂに関する情報を取得すると共に、その情報に基づいて、各紙幣が受け入れ可能な正常紙幣であるか、受け入れ不可能なリジェクト紙幣であるかを判定する。例えば、紙幣Ｂが計数対象の通貨以外の通貨であるときには、リジェクト紙幣であると判定される。また、２枚以上の紙幣が重なって搬送されているときにも、リジェクト紙幣であると判定される。さらに、真偽不確定の紙幣も、リジェクト紙幣であると判定される。識別部３はまた、正常紙幣については、その金種を識別する。識別部３は、正常紙幣の計数も行う。
【００５３】
識別部３を通過した紙幣Ｂは、搬送部５によって搬送されることで、第１搬送路５１から第２搬送路５２へと至る。第２センサ６２が紙幣Ｂの通過を検知したときに、当該紙幣Ｂが正常紙幣であれば、その紙幣Ｂは、そのまま第３搬送路５３に搬送される。
【００５４】
第３搬送路５３に至った紙幣Ｂは、第３センサ６３を通過し、その後、保持部４に払い出される。保持部４は、払い出された紙幣Ｂを順次保持する。紙幣Ｂは、水平方向に並んで保持される。第３センサ６３の検知結果を受けて、制御部６は、セット部２から次の紙幣Ｂを繰り出す。制御部６は、計数動作の最中に、計数値をリアルタイムで、第１ディスプレイ８１及び第２ディスプレイ８２に表示させる。
【００５５】
第２センサ６２が紙幣Ｂの通過を検知したときに、当該紙幣Ｂがリジェクト紙幣であれば、制御部６は、搬送部５を一時停止させる。その後、制御部６は、第２搬送路５２に位置している紙幣Ｂが逆向きに搬送されるように、搬送部５を動作させる。紙幣Ｂは、第２搬送路５２から分岐路５８の方に搬送されて、リジェクト部５４に払い出される。この状態で、装置１の動作は停止する。リジェクト部５４に払い出されたリジェクト紙幣Ｂは、担当者が手で取り除く。第４センサ６４が、リジェクト紙幣Ｂが取り除かれたことを検知すると、制御部６は、装置１の計数動作を再開する。
【００５６】
セット部２にセットされた紙幣Ｂが全て繰り出されることによって、計数対象の紙幣Ｂの計数が全て終了すれば、制御部６は、計数結果、つまり、総額を第１ディスプレイ８１及び第２ディスプレイ８２に表示させる。こうして、装置１の計数動作が完了する。計数の完了後に、保持部４に保持されている紙幣Ｂは、担当者が手で取り除く。第５センサ６５は、紙幣Ｂが取り除かれたことを検知する。
【００５７】
（搬送路の構成）
次に、搬送路の構成についてさらに詳細に説明をする。第１搬送路５１は、第１ガイド５５及び第２ガイド５６によって構成される。第２搬送路５２は、第２ガイド５６及び第３ガイド５７によって構成される。第３搬送路５３は、第２ガイド５６及び第３ガイド５７によって構成される。尚、分岐路５８は、第１ガイド５５と第３ガイド５７とによって構成される。
【００５８】
第１ガイド５５は、装置１の右側において、装置１の後部から前後方向の中央部にまで前後方向に延びている。第１ガイド５５は、装置１の右側面の一部を構成する。第１ガイド５５はまた、紙幣Ｂの搬送路を挟んだ片側において、識別部３の一部を構成する。
【００５９】
第２ガイド５６は、装置１の左右方向の中央部に配置される。第２ガイド５６は、装置１の後部から前端部にまで前後方向に延びている。第２ガイド５６は、セット部２の一部を構成すると共に、保持部４の一部を構成する。第２ガイド５６はまた、紙幣Ｂの搬送路を挟んだ片側において、識別部３の一部を構成する。
【００６０】
第３ガイド５７は、装置１の後面の一部と左側面の一部とを構成する。第３ガイド５７は、平面視で略Ｌ字状である。
【００６１】
図３に示すように、第１ガイド５５及び第３ガイド５７は、装置１の中央部に配置した第２ガイド５６の周囲を囲むように配置されている。第１ガイド５５、第２ガイド５６及び第３ガイド５７によって構成される第１搬送路５１、第２搬送路５２及び第３搬送路５３は、平面視でＵ字状をなしている。Ｕ字状の搬送路に沿って、上向きに開口する開口部５０が設けられる。
【００６２】
第１ガイド５５、第２ガイド５６及び第３ガイド５７はそれぞれ、装置１において計数可能な紙幣Ｂの内、最もサイズが小さい紙幣Ｂの短手長さよりも、その高さが低い。図１に示すように、セット部２から保持部４までの間において、紙幣Ｂは、上向きに開口する開口部５０から上方に飛び出す。このため、人は、搬送中の紙幣Ｂを、装置１の上方から見ることができる。また、この装置１は、セット部２が上方及び前方に開放されている。人は、セット部２にセットした紙幣Ｂを、装置１の上方から見ることができる。また、セット部２にセットされた複数枚の紙幣Ｂは、それぞれ立った状態で水平方向に並ぶ。セット部２にセットされた複数枚の紙幣Ｂの全てを、装置１の上方から見ることができる。保持部４も、上方、前方及び左側方に開放されている。人は、保持部４に保持している紙幣Ｂを、装置１の上方から見ることができる。また、保持部４に保持された複数枚の紙幣Ｂは、それぞれ立った状態で水平方向に並ぶ。保持部４に保持された複数枚の紙幣Ｂの全てを、装置１の上方から見ることができる。
【００６３】
担当者及び客は、装置１が計数を行っている間、常に、装置１の上方から紙幣Ｂを見ることができる。これにより、装置１は、計数結果の高い信頼性を確保することができる。
【００６４】
−搬送部に関する他の形態−
前記の構成では、紙幣Ｂを立てた状態で長手搬送するようにしている。これとは異なり、紙幣Ｂを横にした状態で長手搬送、又は、短手搬送するように、紙幣計数装置を構成してもよい。この構成では、例えば、搬送中の紙幣Ｂの一部分を、開口部から、紙幣計数装置の側方に飛び出させるようにしてもよい。
【００６５】
また、例えば図６に示すように、搬送部５において、光透過性の材料によって構成されたカバー部材５１０を取り付けるようにしてもよい。これにより、各搬送路５１，５２、５３に沿って搬送されている紙幣Ｂを、カバー部材５１０を通じて、常時、見ることが可能になる。カバー部材５１０によって、搬送中の紙幣Ｂを保護することが可能になる。その結果、紙幣Ｂの搬送をスムースに行うことが可能になる。
【００６６】
また、図示は省略するが、各搬送路を構成するガイドの一部を、光透過性の材料によって構成することにより、各搬送路に沿って搬送されている紙幣Ｂの一部分を、見ることができるように構成してもよい。この構成例において、ガイドは、前述したように、紙幣Ｂの高さよりも低くしなくてもよい。つまり、搬送中の紙幣Ｂの一部分が、ガイドとガイドとの間に設けられる開口部から飛び出さなくても、透明性材料によって構成されたガイドの部分を通じて、各搬送路に沿って搬送されている紙幣Ｂの、少なくとも一部分を、見ることができるようになる。
【００６７】
（識別部の構成）
次に、識別部３の構成について詳細に説明する。図５は、識別部３のうち第２ガイド５６に形成された部分を示している。図１０は、識別部３のうち第１ガイド５５に形成された部分を示している。識別部３は、紙幣Ｂの表面及び裏面の画像を取得する光学センサ３１、紙幣Ｂの厚みを検知する厚みセンサ３２、及び、紙幣Ｂの磁気特性を検知する磁気センサ３３を有している。光学センサ３１によって取得した紙幣Ｂの画像、及び、磁気センサ３３が取得した紙幣Ｂの磁気特性に基づいて、紙幣Ｂが計数対象の通貨であるか否かの判定、真券であるか偽券であるかの判定、正券であるか損券であるかの判定、及び、紙幣Ｂの金種の判定を行う。また、厚みセンサ３２が検知した紙幣Ｂの厚みの情報に基づいて、紙幣Ｂが一枚であるか、二枚以上重なって搬送されているかを判定する。
【００６８】
光学センサ３１は、図５，１０に示すように、長手の縁を下にして立てた状態で、長手搬送される紙幣Ｂの表面側と裏面側とのそれぞれに配設されている。光学センサ３１は、紙幣Ｂの短手長さの全域に亘って延びて配設されている。光学センサ３１の上端は、図５に二点鎖線で示す、この装置１において計数可能な紙幣Ｂの内、最もサイズが大きい紙幣Ｂの上端よりも高い位置となる。
【００６９】
厚みセンサ３２は、光学センサ３１に対し、搬送方向（つまり、図５に示す紙面左から右に向かう方向）の進み側に配置されている。厚みセンサ３２は、立てた状態で長手搬送される紙幣Ｂの表面側と裏面側とに配設されかつ、紙幣Ｂを厚み方向に挟み込むローラーによって構成されている。厚みセンサ３２と、光学センサ３１とは、互いに動作に影響しない距離を保って配置されている。厚みセンサ３２はまた、仕切板１３から所定の高さ位置に配設されている。厚みセンサ３２は、ガイド５５によって覆われる紙幣Ｂの部分に対応する高さに配設されている。厚みセンサ３２の高さは、この装置１において計数可能な紙幣Ｂの内で、最もサイズの大きい紙幣Ｂ（図５の二点鎖線参照）の、短手方向のほぼ中央に相当する。紙幣Ｂは、その長手の縁が、仕切板１３の上面に当たった状態で搬送される。このため、前記の高さ位置に配置した厚みセンサ３２は、識別部３を通過する紙幣Ｂを必ず挟むようになる。
【００７０】
磁気センサ３３は、厚みセンサ３２に対して、搬送方向の進み側に配置されている。従って、光学センサ３１、厚みセンサ３２及び磁気センサ３３は、装置１の前から後に向かって、この順番で配設されている。磁気センサ３３と、厚みセンサ３２とは、互いに動作に影響しない距離を保って配置されている。磁気センサ３３はまた、仕切板１３から所定の高さ位置に配設されている。磁気センサ３３は、ガイド５５によって覆われる紙幣Ｂの部分に対応する高さに配設されている。磁気センサ３３の高さは、この装置１において計数可能な紙幣Ｂの内、最もサイズの小さい紙幣Ｂの短手方向のほぼ中央に相当する。磁気センサ３３を、前記の高さ位置に配置することによって、識別部３を通過する紙幣Ｂの磁気特性を、必ず検知することができる。
【００７１】
光学センサ３１は、紙幣Ｂの短手長さの全域に亘って延びて配設されるため、紙幣Ｂの表面全体及び裏面全体の画像を取得することができる。識別に利用する情報量が多くなるため、識別の精度が向上する。また、多くの情報に基づいて速やかに識別を行うことができ、識別に要する時間も短縮する。
【００７２】
一方、厚みセンサ３２及び磁気センサ３３は、搬送路の開口部５０よりも下側に配設されている。厚みセンサ３２及び磁気センサ３３は、紙幣Ｂにおいて、開口部５０から飛び出した部分の情報を取得することができない。しかしながら、紙幣Ｂの厚みを検出することによって、紙幣Ｂが二枚以上重なっていないか否かを判定するだけであれば、紙幣Ｂの一部分において厚みを検出すれば、正確な判定を行うことが可能である。また、磁気センサ３３によって取得することができる情報量は、比較的少ないが、この装置１は、前述の通り、計数対象の紙幣Ｂを人が見ながら、計数を行うことが可能である。磁気センサ３３によって取得することができる情報量が少なくなったとしても、この装置１は、識別の精度及び信頼性が低下することはない。
【００７３】
光学センサ３１の配設位置に、外からの光が入ると光学センサ３１が取得する画像の精度が低下してしまう。また、光学センサ３１は、前述したように、立てて搬送される紙幣Ｂの上端よりも高い位置まで延びている。そこで、識別部３は、光学センサ３１を覆うカバー部３４を有している。カバー部３４は、第１ガイド５５及び第２ガイド５６よりも上方に突出している。カバー部３４は、装置１の前後方向（図５における紙面左右方向）に広がっている。これにより、光学センサ３１の配設箇所に光が入ることを防止している。
【００７４】
カバー部３４の前側には、図１に示すように、紙幣Ｂが進入する入口部３４１が形成されている。また、図２に示すように、カバー部３４の後側には、紙幣Ｂが退出する出口部３４２が形成されている。入口部３４１及び出口部３４２を有するカバー部３４によって、識別部３はトンネル状となる。入口部３４１はセット部２に連続する。出口部３４２は搬送部５の開口部５０に連続する。仕切板１３の上面から入口部３４１及び出口部３４２の上端までの距離は、この装置１において計数可能な紙幣Ｂの内で、最もサイズの大きい紙幣Ｂの短手長さよりも長い。光学センサ３１、厚みセンサ３２及び磁気センサ３３は全て、仕切板１３の上面から入口部３４１及び出口部３４２の上端までの範囲内に位置している。光学センサ３１、厚みセンサ３２及び磁気センサ３３は全て、立てた状態で搬送される紙幣Ｂの側方に位置する。
【００７５】
入口部３４１は、図５に示すように、紙幣Ｂの搬送方向に対して上り勾配となるように傾斜している。入口部３４１の傾斜箇所の根元は、セット部２の上端部に位置する。入口部３４１の傾斜角度θは、図５に示す装置１では、４５°以下である。入口部３４１を傾斜させることで、入口部３４１から進入する紙幣Ｂの搬送方向先側の縁部が曲がっていたり、折れ気味であったりしたときでも、紙幣Ｂの搬送方向先側の縁部と入口部３４１とが徐々に交差しながら、紙幣Ｂが入口部３４１に進入するようになる。このため、紙幣Ｂの曲がりや折れを矯正することができる。識別部３の入口部３４１において、紙幣の詰まりが生じることが抑制される。紙幣Ｂは、スムースに、入口部３４１に識別部３内に進入する。尚、出口部３４２は、紙幣Ｂの搬送方向に対してほとんど傾斜していない。
【００７６】
光学センサ３１に対して、装置１の前側には、グリップローラー３５が配設されている。グリップローラー３５は、光学センサ３１の動作に影響しない距離を保って配置されている。グリップローラー３５に対して、装置１の前側には、ガイドローラー３６が配設されている。ガイドローラー３６は、入口部３４１の傾斜箇所に対応する搬送方向の位置に配設されている。ガイドローラー３６は、識別部３内に紙幣Ｂを送り込むローラーである。ガイドローラー３６の配設箇所には力が加わるが、ガイドローラー３６を入口部３４１の傾斜箇所に対応する位置に配設することで、配設箇所の強度を確保することができる。
【００７７】
ガイドローラー３６とグリップローラー３５とは、互いに動作に影響しない距離を保って配置されている。ガイドローラー３６によって識別部３に送り込まれた紙幣Ｂは、グリップローラー３５によって、確実に、識別部３を通過する。尚、グリップローラー３５と、後述の分離ローラー３７とによって、紙幣Ｂを、識別部３にスムースに送り込むことができるのであれば、ガイドローラー３６は省略してもよい。
【００７８】
図５における符号３７は、セット部２に設けられた分離ローラーである。分離ローラー３７は、セット部２から紙幣Ｂを一枚ずつ繰り出すために、紙幣Ｂの繰り出し方向とは逆方向に回転をする。分離ローラー３７とガイドローラー３６とは、互いに動作に影響しない距離を保って配置されている。
【００７９】
識別部３は、入口部３４１と出口部３４２とを有しかつ、紙幣Ｂが通過をするトンネル状に構成されている。図５に示すように、紙幣Ｂが識別部３を通過するときに、紙幣Ｂの搬送方向先側の一部分が出口部３４２から出た状態で、紙幣Ｂの搬送方向後側の一部分が入口部３４１に入る前の状態となる（図５の網掛け部分を参照）。識別部３のカバー部３４は、その前後方向の長さが長くなりすぎないように構成されている。入口部３４１の根元から出口部３４２の根元までの距離Ｌは、装置１において計数可能な紙幣Ｂの内、最もサイズが小さい紙幣Ｂの長手長さよりも短い。これにより、紙幣Ｂが識別部３を通過するときでも、紙幣Ｂの少なくとも一部分は見ることができる。つまり、紙幣Ｂの全体が識別部３の内部に入って外から見えなくなる状態になることが回避される。こうして、この装置１は、人が常に紙幣Ｂを見ながら、計数を行うことができる。この装置１は、計数結果の高い信頼性を確保することができる。
【００８０】
−識別部に関する他の形態−
尚、前記の構成では、識別部３の光学センサ３１を、紙幣Ｂの短手長さよりも長くすると共に、識別部３をトンネル状にしている。しかしながら、光学センサ３１の長さを、第１ガイド５５及び第２ガイドの高さ以下となるまで短くしてもよい。この構成では、図７に示すように、識別部３のカバー部３４を省略することが可能である。識別部３は、トンネル状でなくてもよい。この構成では、光学センサ３１は、紙幣Ｂの一部分の画像を取得することになるが、その場合でも、紙幣Ｂの識別は可能である。
【００８１】
（ガイドの構成）
第１ガイド５５は、前述したように、装置１の右側において、装置１の後部から前後方向の中央部にまで前後方向に延びている。第１ガイド５５は、図３に示すように、平面視でＩ字状である。第１ガイド５５は、図２及び図８の左図に示すように、装置１の右側面の一部を構成する。第１ガイド５５は、装置１の上部１１から下部１２にまで広がっている。第１ガイド５５の下端部は、図８及び図９に示す回転軸Ｘ１周りに回動可能となるように、装置１に取り付けられている。第１ガイド５５は、図８の左図に示すように、装置１の右側部において起立した状態と、図８の右図に示すように、装置１の右側方に傾いた状態とに切り替わる。図９に示すように、第１ガイド５５が回動する角度範囲θ１は、４５°である。尚、第１ガイド５５は、９０°以下の角度範囲θ１で回動可能にしてもよい。
【００８２】
第３ガイド５７は、図３に示すように、平面視で略Ｌ字状である。第３ガイド５７は、図１及び図２に示すように、装置１の後面の一部と左側面の一部とを構成する。第３ガイド５７は、仕切板１３よりも上側に設けられる。第３ガイド５７は、装置１の上部１１にのみ設けられる。第３ガイド５７は、第３搬送路５３を構成する箇所の下端部が、図８及び図９に示す回転軸Ｘ２周りに回動可能となるように、装置１に取り付けられている。第３ガイド５７は、図８の左図に示すように、仕切板１３の上に置かれた状態と、図８の右図に示すように、仕切板１３の上から離れて倒れた状態とに切り替わる。図９に示すように、第３ガイド５７の回動する角度範囲θ２は、９０°である。尚、第３ガイド５７は、９０°以上の角度範囲θ２で回動可能にしてもよい。
【００８３】
第２ガイド５６は、第１ガイド５５及び第３ガイド５７に対し、装置１の内方に配置されている。第２ガイド５６は、第１ガイド５５及び第３ガイド５７とは異なり、装置１に対して固定されている。
【００８４】
第１搬送路５１は、図８の左図に示すように、第１ガイド５５と第２ガイド５６との距離が近くなった使用状態と、図８の右図に示すように、第１ガイド５５が装置１の右側方に向かって回動することによって、第１ガイド５５が第２ガイド５６から離れた開放状態とに切り替わる。第１搬送路５１は、装置１の右側方に開放される。第１搬送路５１が開放状態になったときには、識別部３もまた開放状態となる。
【００８５】
第２搬送路５２及び第３搬送路５３は、図８の左図に示すように、第３ガイド５７と第２ガイド５６との距離が近くなった使用状態と、図８の右図に示すように、第３ガイド５７が装置１の左側方に向かって回動することによって、第３ガイド５７が第２ガイド５６から離れた開放状態とに切り替わる。第２搬送路５２は、装置１の後方に開放される。第３搬送路５３は、装置１の左側方に開放される。Ｌ字状の第３ガイド５７を９０°回動させることによって、第２搬送路５２及び第３搬送路５３の両方を、全て開放することができる。第１搬送路５１、第２搬送路５２及び第３搬送路５３は、互いに異なる方向に開放される。
【００８６】
装置１が計数を行っている最中に、紙幣Ｂがいずれかの搬送路５１、５２、５３において詰まったときには、装置１が停止する。紙幣Ｂが第１搬送路５１において詰まったとき、担当者は、第１ガイド５５を、装置１の右外方に回動させることにより、第１搬送路５１を開放状態にする。第１搬送路５１は、装置１の右側部において外方に開放される。担当者は、第１搬送路５１に詰まっている紙幣Ｂを見ることができ、当該紙幣Ｂを容易に取り除くことができる。
【００８７】
また、第２搬送路５２又は第３搬送路５３において紙幣Ｂが詰まったときには、担当者は、第３ガイド５７を、装置１の左外方に回動させる。これにより、第２搬送路５２及び第３搬送路５３を開放状態にする。第２搬送路５２は、装置１の後部において外方に開放される。第３搬送路５３は、装置１の左側部において外方に開放される。担当者は、第２搬送路５２又は第３搬送路５３に詰まっている紙幣を見ることができ、当該紙幣Ｂを容易に取り除くことができる。
【００８８】
また、第１搬送路５１、第２搬送路５２及び第３搬送路５３はそれぞれ、上方にも開放される。これにより、例えば遊技場等の施設の天井部に取り付けた監視カメラからも、開放した第１搬送路５１、第２搬送路５２及び第３搬送路５３を撮影することが可能になる。搬送路に詰まった紙幣Ｂを取り除くときに、担当者が不正を行うことを防止する効果が期待できる。
【００８９】
第１搬送路５１、第２搬送路５２及び第３搬送路５３はそれぞれ、装置１の、互いに異なる三方向の外方に向かって大きく開放される。このため、搬送路内に溜まったゴミや塵などの清掃を容易に行うことができる。
【００９０】
また、第１ガイド５５を回動させて第１搬送路５１を開放させると、識別部３を開放させることができる。識別部３には、図８の右図に示すように、光学センサ３１、厚みセンサ３２、及び磁気センサ３３が配設されている。識別部３を開放したときに、これらのセンサ３１、３２、３３が全て露出する。従って、これらのセンサ３１、３２、３３のメンテナンスを行うことが可能になる。
【００９１】
第１ガイド５５は、装置１の上部１１から下部１２にまで広がる。第１ガイド５５は、上下方向に長い。第１ガイド５５の回動角度θ１を、比較的小さくすることによって、図９に示すように、第１ガイド５５を装置１の外方に回動させたときの装置１の占有スペースが、大きくなってしまうことを回避することができる。尚、ここでいう占有スペースは、装置１を、それが置かれている面に投影した投影面積である。
【００９２】
第３ガイド５７は、装置１の上部１１にのみ設けられるため、その高さは比較的低い。そのため、第３ガイド５７の回動角度θ２を大きくしても、図９に示すように、第３ガイド５７を装置１の外方に回動させたときの装置１の占有スペースは、大きくならない。
【００９３】
−ガイドに関する他の形態−
尚、前記の構成では、第１ガイド５５及び第３ガイド５７をそれぞれ、水平方向に延びる回転軸Ｘ１、Ｘ２周りに回動するよう、装置１に取り付けているが、第１ガイド５５、及び／又は第３ガイド５７を、例えば上下方向に延びる回転軸周りに回動するよう、装置１に取り付けてもよい。
【００９４】
また、第１ガイド５５及び第３ガイド５７を回動させるよう取り付けるのではなく、第１ガイド５５及び／又は第３ガイド５７を、例えば前後方向、左右方向、又は、それ以外の任意の方向に水平移動するよう装置１に取り付けるようにしてもよい。また、第１ガイド５５及び／又は第３ガイド５７を、上下方向に移動するよう装置１に取り付けるようにしてもよい。
【００９５】
平面視でＬ字状の第３ガイド５７は、第２ガイド５６と共に第２搬送路５２を構成するガイドと、第２ガイド５６と共に第３搬送路５３を構成するガイドとに分けてもよい。
【００９６】
また、第１ガイド５５及び第３ガイド５７を可動に取り付けるのではなく、第２ガイド５６を、装置１に対し可動に取り付けることによって、第１〜第３搬送路５１、５２、５３を開放可能にしてもよい。第２ガイド５６は、例えば前後方向に移動するように装置１に取り付けてもよい。また、第２ガイド５６は、上下方向に移動するように装置１に取り付けてもよい。
【００９７】
前記で示す搬送路のレイアウトは一例である。搬送路は、例えば直線状に配設してもよい。ガイドの形状は、搬送路のレイアウトに応じて適宜変更される。
【００９８】
前記の構成では、搬送中の紙幣Ｂの一部分が、開口部から外に飛び出すようにしている。しかしながら、搬送中の紙幣Ｂが外に飛び出さないように、第１ガイド５５、第２ガイド５６及び第３ガイド５７を構成してもよい。
【００９９】
前記の構成では、紙幣Ｂを立てた状態で長手搬送するようにしている。これとは異なり、紙幣Ｂを横にした状態で長手搬送、又は、短手搬送するように、紙幣計数装置を構成してもよい。
【０１００】
（リジェクト部の構成）
前述のように、装置１には、排出されたリジェクト紙幣を保持しておくリジェクト部５４が設けられている。リジェクト部５４は、分岐路５８と分岐路５８に連通する搬送路の一部とで構成されている。リジェクト部５４は、リジェクト紙幣の一部がリジェクト口５４ａから外にはみ出した状態でリジェクト紙幣を保持している。以下、リジェクト部５４の構成について詳しく説明する。
【０１０１】
前述の如く、搬送路は、図３に示すように、平面視でＵ字状に形成されている。詳しくは、第２搬送路５２は、第１屈曲部５１１において第１搬送路５１から屈曲し、第３搬送路５３は、第２屈曲部５２１において第２搬送路５２から屈曲している。
【０１０２】
第１屈曲部５１１には、図１１に示すように、第１搬送ローラー５１２が設けられている。紙幣は、第１搬送ローラー５１２によって、第１搬送路５１から第２搬送路５２へ屈曲するように搬送される。第１搬送ローラー５１２は、上下方向に配列された複数の駆動ローラー５１３と、駆動ローラー５１３と共に紙幣を挟み込む従動ローラー５１４とを有している。従動ローラー５１４は、全ての駆動ローラー５１３に設けられているわけではなく、一部の駆動ローラー５１３に設けられている。この一部の駆動ローラー５１３には、２つの従動ローラー５１４が設けられている。従動ローラー５１４は、紙幣を駆動ローラー５１３の外周に沿って略９０度屈曲させるように、駆動ローラー５１３の回転中心回りに９０度離れた位置に設けられている。図１０には、搬送路における上流側の従動ローラー５１４を示している。
【０１０３】
第２屈曲部５２１には、図１１に示すように、第２搬送ローラー５２２が設けられている。紙幣は、第２搬送ローラー５２２によって、第２搬送路５２から第３搬送路５３へ屈曲するように搬送される。第２搬送ローラー５２２は、上下方向に配列された複数の駆動ローラー５２３と、駆動ローラー５２３と共に紙幣を挟み込む従動ローラー５２４とを有している。従動ローラー５２４は、全ての駆動ローラー５２３に設けられているわけではなく、一部の駆動ローラー５２３に設けられている。この一部の駆動ローラー５２３には、２つの従動ローラー５２４が設けられている。従動ローラー５２４は、紙幣を駆動ローラー５２３の外周に沿って略９０度屈曲させるように、駆動ローラー５２３の回転中心回りに９０度離れた位置に設けられている。
【０１０４】
これら第１搬送ローラー５１２及び第２搬送ローラー５２２は、回転方向を切替可能に構成されている。つまり、第１搬送ローラー５１２及び第２搬送ローラー５２２は、紙幣がセット部２から保持部４へ向かう順方向と、順方向とは逆向きの逆方向とで紙幣の搬送方向を切り替えることができる。
【０１０５】
分岐路５８は、図３，１１に示すように、搬送路から分岐している。分岐路５８は、第１屈曲部５１１に接続され、第２搬送路５２の延長線上に、即ち、第２搬送路５２と一直線状に延びている。分岐路５８は、第１ガイド５５の後端部と第３ガイド５７とで形成されている。分岐路５８のうち、搬送路からの分岐部と反対側の端部は、装置１の後部の右側面に開口し、リジェクト口５４ａを形成している。また、分岐路５８は、第２搬送路５２と同様に上方へ開口している。分岐路５８は、搬送路の一部（詳しくは、第２搬送路５２の一部）と共に、リジェクト部５４を構成している。
【０１０６】
また、第１屈曲部５１１には、図１１に示すように、紙幣の進路を搬送路から分岐路５８へ切り替える切替部５９が設けられている。図１２は、切替部５９の平面図である。
【０１０７】
切替部５９は、上下方向に互いに間隔を空けて配列された複数（具体的には４つ）の爪５９１を有し、全体として櫛歯状に形成されている。爪５９１は、押圧部５９２と案内部５９３とを有し、楔形状をしている。押圧部５９２と案内部５９３とは、爪５９１の先端において連結されている。押圧部５９２は、凹状に湾曲した形状をしている。案内部５９３は、基端部５９３ｂに対して先端部５９３ａが折れ曲がった形状をしている。切替部５９は、第１ガイド５５の後端部において、上下方向に延びる回転軸Ａ回りに回転可能に支持されている。切替部５９は、図１１に示すように、爪５９１の先端部が搬送路上に位置するように、付勢バネ５９４により付勢されている。切替部５９は、通常時はストッパ（図示省略）に当接することによって、爪５９１の先端部が搬送路上に位置する。この位置を第１位置と称する。付勢バネ５９４は、付勢部材の一例である。
【０１０８】
より具体的には、爪５９１は、第１位置においては、搬送路のうち第１屈曲部５１１上に位置している。第１屈曲部５１１には、第１搬送ローラー５１２が設けられている。図１０に示すように、上流側の従動ローラー５１４は、爪５９１の間に配置されている。下流側の従動ローラー５１４の上下方向位置も、図示は省略するが、爪５９１の上下方向位置とは異なっている。そのため、爪５９１が回転しても、従動ローラー５１４とは干渉しない。また、爪５９１の上下方向位置は、駆動ローラー５１３の上下方向位置とも異なっている。そのため、第１位置においては、爪５９１は、駆動ローラー５１３に干渉することなく、駆動ローラー５１３の間に入り込んでいる。これにより、平面視で、爪５９１は、駆動ローラー５１３の外周を横切っている。つまり、爪５９１は、搬送路を横切った状態となっている。
【０１０９】
このように構成された切替部５９は、紙幣が順方向へ搬送される場合には、その紙幣を第１搬送路５１から第１屈曲部５１１を介して第２搬送路５２へ案内する一方、紙幣が逆方向へ搬送される場合には、その紙幣を第２搬送路５２から分岐路５８へ案内する。
【０１１０】
詳しくは、通常、切替部５９は、付勢バネ５９４の付勢力により第１位置に位置する。このとき、爪５９１の押圧部５９２は、第１搬送路５１から第１屈曲部５１１へ搬送される紙幣が当接する位置に位置している。そのため、第１搬送路５１から順方向に搬送されてきた紙幣は、押圧部５９２に当接し、切替部５９を付勢バネ５９４の付勢力に抗して押圧する。紙幣に押圧された切替部５９は、図１３に示すように、搬送路から退避した第２位置（具体的には、平面視で爪５９１と駆動ローラー５１３とが重ならない位置）まで移動する。
【０１１１】
第２位置においては、爪５９１は、駆動ローラー５１３の間から抜け出ている。押圧部５９２は、凹状に湾曲した形状をしており、切替部５９が第２位置に位置するときには、駆動ローラー５１３の外周と実質的に平行な状態となっている。この状態において、押圧部５９２は、紙幣を駆動ローラー５１３の外周に沿った方向に案内する。つまり、押圧部５９２は、紙幣を第１搬送路５１から第２搬送路５２の方へ屈曲するように案内する。このように、切替部５９は、紙幣の順方向への通過を許容しつつ、紙幣を第２搬送路５２へ案内する。
【０１１２】
一方、装置１は、前述の如く、識別部３によりリジェクトすべきと判定された紙幣は、第２搬送路５２の第２センサ６２を順方向に通過した後に一旦停止され、逆方向に搬送される。紙幣が第２センサ６２を通過したときには、紙幣は必ず切替部５９を通過しているので、切替部５９は、付勢バネ５９４の付勢力により第１位置へ戻っている。つまり、リジェクト紙幣が逆方向に搬送されるときには、切替部５９は第１位置に位置している。このとき、爪５９１の案内部５９３は、逆方向へ搬送される紙幣を第２搬送路５２から分岐路５８へ案内する位置に位置している。詳しくは、爪５９１が第１位置に位置している状態において、先端部５９３ａは、平面視で駆動ローラー５１３と重なり合った状態となっている一方、基端部５９３ｂは、第２搬送路５２の延長線に沿って延びている。つまり、先端部５９３ａは、搬送路を横切った状態となっている。この案内部５９３により、第２搬送路５２から分岐路５８に亘る一直線状の搬送路が形成される。そのため、第２搬送路５２を逆方向に搬送され、駆動ローラー５１３と下流側の従動ローラー５１４とに挟み込まれた紙幣は、第１搬送路５１の方へ屈曲することなく、案内部５９３に案内されて、分岐路５８の方へ導かれる。仮に、紙幣が駆動ローラー５１３の外周に沿って進もうとしても、案内部５９３の先端部５９３ａが駆動ローラー５１３の外周を横切る位置に位置しているので、紙幣は先端部５９３ａに当接し、先端部５９３ａに沿って基端部５９３ｂへ案内され、さらに基端部５９３ｂに案内されて分岐路５８の方へ導かれる。その後、リジェクト紙幣の一部がリジェクト口５４ａから外にはみ出す状態となると、搬送が停止される。このとき、リジェクト紙幣の一部は、第２搬送路５２に残留している。つまり、排出されたリジェクト紙幣は、分岐路５８と第２搬送路５２の一部によって保持されている。尚、担当者がリジェクト部５４の紙幣を抜き取ると、セット部２に紙幣が残留している場合には、残留紙幣の計数を再開する。
【０１１３】
このような構成とすることによって、搬送路の一部を利用してリジェクト部５４を構成することができ、リジェクト部５４を搬送路とは完全に別に設ける必要がないので、装置１を小型に形成することができる。
【０１１４】
また、リジェクト部５４は、リジェクト紙幣の一部がリジェクト口５４ａから外にはみ出した状態でリジェクト紙幣を保持し、リジェクト紙幣の全体を収容する必要がないので、リジェクト部を小型にすることができ、ひいては、装置１を小型に形成することができる。
【０１１５】
さらに、排出されたリジェクト紙幣の一部は搬送路に残留し且つ、搬送路は紙幣の一部を露出させる開口部５０を有しているので、担当者及び客は、処理中及び処理後のリジェクト紙幣の一部を常に視認することができる。
【０１１６】
また、分岐路５８は、搬送路の第１屈曲部５１１に接続されている。第１屈曲部５１１は、紙幣の進路が第１搬送路５１から第２搬送路５２の方へ変更される場所なので、この場所に分岐路５８を接続することによって、紙幣の進路を本来の搬送路か分岐路５８かに切り替えやすい。
【０１１７】
さらに、分岐路５８は、第２搬送路５２の延長線上に延びているので、紙幣を第２搬送路５２から分岐路５８へ進入させる場合には、紙幣を第２搬送路５２における搬送方向のまま搬送すれば、紙幣は自然と分岐路５８へ導かれる。つまり、紙幣を分岐路５８へスムースに案内することができる。
【０１１８】
また、紙幣が搬送路を順方向に搬送される場合には、第２位置へ退避して紙幣の搬送を許容し、紙幣が搬送路を逆方向に搬送される場合には、第１位置に位置して紙幣を分岐路５８へ案内する切替部５９を設けているので、リジェクト紙幣の搬送方向を順方向から逆方向に切り替えることによって、リジェクト紙幣の進路を搬送路から分岐路５８へ切り替えることができる。この構成によれば、切替部５９を駆動する駆動源を要しないので、装置１の構成を簡易にすることができると共に、消費電力を低減することができる。
【０１１９】
さらに、切替部５９が第１位置に位置する状態においては、案内部５９３は、分岐路５８に沿って延びている。このため、逆方向に搬送され案内部５９３に当接したリジェクト紙幣は、スムースに分岐路５８へ案内される。
【０１２０】
また、切替部５９は、互いに離間して配列された複数の爪５９１を有し、櫛歯状に形成されているので、紙幣と切替部５９との接触面積を低減することができ、ひいては、紙幣が搬送される際の抵抗を低減することができる。
【０１２１】
−リジェクト部に関する他の形態−
前記の構成では、分岐路５８が第１屈曲部５１１に接続されているが、分岐路５８が搬送路に接続される場所は、これに限られるものではない。例えば、分岐路５８は、第２屈曲部５２１に接続されていてもよい。さらには、分岐路５８は、第１搬送路５１、第２搬送路５２又は第３搬送路５３のように直線状に延びる部分に接続されていてもよい。また、分岐路５８は、第１搬送路５１の延長線上に延びていてもよい。
【０１２２】
さらに、装置１は、リジェクト紙幣の搬送方向を順方向から逆方向に切り替えることによって、リジェクト紙幣を分岐路５８へ導くように構成されているが、これに限られるものではない。リジェクト紙幣を順方向に搬送しながら、リジェクト紙幣の進路を搬送路から分岐路５８へ切り替えるような構成であってもよい。例えば、ソレノイドアクチュエータ等によって切替部５９のような進路を切り替える部材を駆動することによって、リジェクト紙幣の進路を搬送路と分岐路５８とで切り替えることができる。
【０１２３】
（セット部の構成）
以下に、セット部２の詳細な構成について、図１４〜１７を参照しながら説明する。図１４は、セット部２の内部構造の斜視図である。図１５は、セット状態におけるセット部２の一部を上方から見た図である。図１６は、セット状態におけるセット部２の一部を前方から見た図である。図１７は、繰り出し状態におけるセット部２の一部を上方から見た図である。
【０１２４】
セット部２は、紙幣が挿入される開口部２１（図１〜３参照）と、セットされた紙幣が載置される仕切板１３と、セットされた紙幣を繰り出す繰り出しベルト２２と、紙幣のセット時における紙幣と繰り出しベルト２２との接触を防止するガード部２３と、紙幣の繰り出し時に紙幣を繰り出しベルト２２に押し付ける押え部２４と、各種ローラーと、繰り出しベルト２２を駆動するためのモータ２６とを有している。セット部２は、セット部２に紙幣をセットする際にはセット状態となり、セットされた紙幣を繰り出すときには繰り出し状態となる。セット状態及び繰り出し状態については後述する。
【０１２５】
開口部２１は、第１ガイド５５と第２ガイド５６とで形成され、装置１の前部右側に配置されている。ここで、開口部２１は、第１ガイド５５の縁部と第２ガイド５６の縁部とで形成された部分であり、言い換えると、開口縁部である。開口部２１は、前述の如く、装置１の上方及び前方に開口している。装置１の上方は、詳しくは後述する繰り出しベルト２２の幅方向の一方側に相当する。つまり、開口部２１は、繰り出しベルト２２の幅方向の一方側に開口している。また、装置１の前方は、繰り出しベルト２２による紙幣の繰り出し方向のうち、紙幣が繰り出される向きとは反対側に相当する。つまり、開口部２１は、繰り出しベルト２２による紙幣の繰り出し方向のうち、紙幣が繰り出される向きとは反対側にも開口している。そのため、紙幣は、開口部２１を介して、上方から下方へ又は前方から後方へ向かってセット部２に挿入される。仕切板１３、繰り出しベルト２２、ガード部２３、押え部２４、各種ローラー及びモータ２６は、開口部２１よりも内側に配置されている。
【０１２６】
繰り出しベルト２２は、環状の無端ベルトである。以下、説明の便宜上、繰り出しベルト２２の外周面を「表面２２１」と称し、内周面を「裏面２２２」と称する。また、繰り出しベルト２２の厚み方向と長手方向（周方向）との両方に直交する方向を「幅方向」と称する。繰り出しベルト２２の表面２２１と裏面２２２とには、幅方向に延びる複数の歯（図示省略）が、長手方向に等間隔で配列されている。表面の歯と裏面の歯とは、同じ形状をしており、且つ同じ位置に配置されている。つまり、繰り出しベルト２２のうち表面２２１に歯が設けられた部分の裏面２２２には、表面２２１の歯と同一の歯が設けられている。繰り出しベルト２２は、その幅方向と仕切板１３の法線方向とが一致する状態で仕切板１３上に配置されている。
【０１２７】
各種ローラーは、少なくとも駆動ローラー２５１と、従動ローラー２５２と、ゲートローラー２５３と、ガイドローラー３６と、分離ローラー３７とを含んでいる。これらのローラーは、仕切板１３に対して、繰り出しベルト２２と同じ側に配置されている。
【０１２８】
駆動ローラー２５１は、モータ２６によって回転駆動される。モータ２６は、仕切板１３を挟んで繰り出しベルト２２と反対側に配置されている。駆動ローラー２５１及び従動ローラー２５２に、繰り出しベルト２２が巻回されている。駆動ローラー２５１の外周面には、繰り出しベルト２２の歯と噛合する複数の歯が設けられている。同様に、従動ローラー２５２の外周面にも、繰り出しベルト２２の歯と噛合する複数の歯が設けられている。駆動ローラー２５１がモータ２６に駆動されることによって、繰り出しベルト２２を駆動される。駆動ローラー２５１は、図１７において反時計回りに回転し、繰り出しベルト２２も反時計回りに回転する。
【０１２９】
ガイドローラー３６及び分離ローラー３７は、繰り出しベルト２２の外側に配置されている。一方、ゲートローラー２５３は、繰り出しベルト２２の内側に配置されている。紙幣が存在しない状態においては、駆動ローラー２５１とガイドローラー３６とで繰り出しベルト２２を挟み込むと共に、ゲートローラー２５３と分離ローラー３７とで繰り出しベルト２２を挟み込んでいる。
【０１３０】
ガイドローラー３６は、紙幣を繰り出す方向に回転駆動される。つまり、ガイドローラー３６は、図１７において時計回りに回転する。ガイドローラー３６と繰り出しベルト２２は、紙幣を挟み込んで繰り出す。
【０１３１】
分離ローラー３７は、繰り出し方向においてガイドローラー３６よりも上流側に位置する。分離ローラー３７は、紙幣の繰り出し方向とは反対向きに回転駆動される。つまり、分離ローラー３７は、図１７において反時計回りに回転する。繰り出しベルト２２によって複数枚の紙幣が繰り出されそうになっても、分離ローラー３７の反対向きの回転によって、繰り出しベルト２２と接触する紙幣以外の紙幣の繰り出しが阻止される。
【０１３２】
ガード部２３は、第１ガード部２３１と、第２ガード部２３２と、第１ガード部２３１及び第２ガード部２３２が連結された駆動シャフト２３３とを有している。ガード部２３は、紙幣と繰り出しベルト２２との接触を防止するガード状態と、紙幣と繰り出しベルト２２との接触を可能とする退避状態との間で切り替え可能に構成されている。セット部２がセット状態のときに、ガード部２３はガード状態となる一方、セット部２が繰り出し状態のときに、ガード部２３は退避状態となる。
【０１３３】
第１ガード部２３１は、ガード状態において、図１６に示すように、繰り出しベルト２２の側面のうち、開口部２１に近い方（即ち、仕切板１３から遠い方）の第１側面２２３と対向するように配置されている。第１ガード部２３１は、繰り出しベルト２２の厚み方向において繰り出しベルト２２の表面２２１よりも突出している。
【０１３４】
第２ガード部２３２は、ガード状態において、図１６に示すように、繰り出しベルト２２の側面のうち、開口部２１から遠い方（即ち、仕切板１３に近い方）の第２側面２２４と対向するように配置されている。第２ガード部２３２は、繰り出しベルト２２の厚み方向において繰り出しベルト２２の表面２２１よりも突出している。
【０１３５】
第１ガード部２３１は、繰り出しベルト２２の幅方向において第１側面２２３に近づくほど、繰り出しベルト２２の厚み方向において表面２２１から離れるように傾斜した第１傾斜面２３４を有している。同様に、第２ガード部２３２は、繰り出しベルト２２の幅方向において第２側面２２４から離れるほど、繰り出しベルト２２の厚み方向において表面２２１から離れるように傾斜した第２傾斜面２３５を有している。つまり、第１傾斜面２３４及び第２傾斜面２３５は、繰り出しベルト２２の幅方向においてセット部２の奥に行くほど、繰り出しベルト２２の厚み方向において表面２２１から離れるように傾斜している。
【０１３６】
第１ガード部２３１及び第２ガード部２３２は、駆動シャフト２３３に連結されている。駆動シャフト２３３は、仕切板１３の法線方向に延び、仕切板１３に回転自在に支持されている。駆動シャフト２３３は、仕切板１３の裏面側に配置されたモータ（図示省略）により回転駆動される。
【０１３７】
ガード部２３は、駆動シャフト２３３が回転駆動されることによって、ガード状態と退避状態との間で状態が切り替わる。ガード状態においては、前述の如く、第１ガード部２３１及び第２ガード部２３２が、繰り出しベルト２２の厚み方向において繰り出しベルト２２の表面２２１よりも突出した状態となっている。一方、退避状態においては、第１ガード部２３１及び第２ガード部２３２が、繰り出しベルト２２の厚み方向において表面２２１よりも引っ込んだ位置に退避している。つまり、上下方向に見たときに、ガード状態においては、繰り出しベルト２２の第１側面２２３が第１ガード部２３１によって隠れているのに対し、退避状態においては、繰り出しベルト２２の第２側面２２４が露出する。
【０１３８】
押え部２４は、本体部２４０と、第１当接部２４１と、第２当接部２４２と、駆動シャフト２４３とを有している。
【０１３９】
本体部２４０は、概ね板状の形状をしている。本体部２４０は、繰り出しベルト２２と対向する位置に配置されている。
【０１４０】
第１当接部２４１及び第２当接部２４２は、本体部２４０のうち、繰り出しベルト２２と対向する面において、本体部２４０から突出するように設けられている。第１当接部２４１及び第２当接部２４２は、上下方向に配列されている。繰り出しベルト２２の厚み方向において、第１当接部２４１と第１ガード部２３１とが対向し、第２当接部２４２と第２ガード部２３２とが対向している。
【０１４１】
第１当接部２４１は、繰り出しベルト２２の幅方向においてセット部２の奥に行くほど繰り出しベルト２２の厚み方向において本体部２４０から離れるように傾斜した第３傾斜面２４４を有している。同様に、第２当接部２４２は、繰り出しベルト２２の幅方向においてセット部２の奥に行くほど繰り出しベルト２２の厚み方向において本体部２４０から離れるように傾斜した第４傾斜面２４５を有している。
【０１４２】
本体部２４０は、駆動シャフト２４３に連結されている。駆動シャフト２４３は、仕切板１３の法線方向に延び、仕切板１３に回転自在に支持されている。駆動シャフト２４３は、仕切板１３の裏面側に配置されたモータ（図示省略）により回転駆動される。押え部２４は、駆動シャフト２４３が回転駆動されることによって、退避状態と押え状態との間で状態が切り替わる。押え部２４は、ガード部２３と連動しており、ガード部２３がガード状態のときに、押え部２４が退避状態となり、ガード部２３が退避状態のときに、押え部２４が押え状態となる。セット部２がセット状態のときに、押え部２４は退避状態となる一方、セット部２が繰り出し状態のときに、押え部２４は押え状態となる。
【０１４３】
退避状態においては、第１当接部２４１及び第２当接部２４２が、繰り出しベルト２２から十分に離れた位置に位置している。繰り出しベルト２２の厚み方向において、第１当接部２４１及び第２当接部２４２と第１ガード部２３１及び第２ガード部２３２との間には、十分な間隔が確保されている。一方、押え状態においては、第１当接部２４１及び第２当接部２４２が、紙幣に当接し、紙幣を繰り出しベルト２２の表面２２１に押し付ける。前述の如く、押え部２４が押え状態となるときには、それに連動してガード部２３が退避状態となるので、第１当接部２４１及び第２当接部２４２は、ガード部２３に干渉することなく、紙幣に当接することができる。
【０１４４】
続いて、セット部２の動作について説明する。セット部２がセット状態のときには、ガード部２３はガード状態となり、押え部２４は退避状態となっている。そのため、開口部２１を介して上方からセット部２を見た場合に、繰り出しベルト２２の第１側面２２３は、第１ガード部２３１で覆われて露出していない。そのため、紙幣を、開口部２１を介して上方から、即ち、繰り出しベルト２２の幅方向に挿入する場合であっても、紙幣が繰り出しベルト２２の第１側面２２３に引っ掛かることなく、紙幣をセット部２にスムースに挿入することができる。
【０１４５】
また、このとき、押え部２４は、ガード部２３との間に十分な間隔を有する位置に配置されている。そのため、紙幣をガード部２３又は押え部２４に接触させることなく、セット部２にスムースに挿入することができる。
【０１４６】
仮に、紙幣が第１ガード部２３１に接触したとしても、第１ガード部２３１は、第１傾斜面２３４を有している。第１傾斜面２３４は、繰り出しベルト２２の幅方向においてセット部２の奥に行くほど、繰り出しベルト２２の厚み方向において表面２２１から離れるように傾斜している。そのため、紙幣が第１ガード部２３１に接触しても、紙幣は、セット部２の奥に進むにつれて繰り出しベルト２２の表面２２１から離れるように第１傾斜面２３４によって案内される。こうして、紙幣はセット部２の奥へスムースに案内される。
【０１４７】
さらに、繰り出しベルト２２の第２側面２２４に対向する位置に第２ガード部２３２が設けられ、第２ガード部２３２は、繰り出しベルト２２の厚み方向において表面２２１よりも突出している。そのため、セット部２の奥の方でも、紙幣の繰り出しベルト２２への接触が第２ガード部２３２によって防止される。
【０１４８】
また、第２ガード部２３２は、繰り出しベルト２２の幅方向においてセット部２の奥に行くほど、繰り出しベルト２２の厚み方向において表面２２１から離れるように傾斜した第２傾斜面２３５を有している。そのため、紙幣が第２ガード部２３２に接触しても、紙幣は、セット部２の奥に進むにつれて繰り出しベルト２２の表面２２１から離れるように第２傾斜面２３５によって案内される。こうして、紙幣はセット部２の奥へスムースに案内される。
【０１４９】
さらに、紙幣が抑え部２４に接触する場合もあり得る。特に、押え部２４においては、第１当接部２４１及び第２当接部２４２が本体部２４０から突出しているので、紙幣が第１当接部２４１又は第２当接部２４２に接触する場合があり得る。しかし、第１当接部２４１は、繰り出しベルト２２の幅方向においてセット部２の奥に行くほど、繰り出しベルト２２の厚み方向において本体部２４０から離れるように傾斜した第３傾斜面２４４を有している。そのため、紙幣が第１当接部２４１に接触しても、紙幣は、セット部２の奥に進むにつれて本体部２４０から離れるように第３傾斜面２４４によって案内される。こうして、紙幣はセット部２の奥へスムースに案内される。また、第２当接部２４２は、繰り出しベルト２２の幅方向においてセット部２の奥に行くほど、繰り出しベルト２２の厚み方向において本体部２４０から離れるように傾斜した第４傾斜面２４５を有している。そのため、紙幣が第２当接部２４２に接触しても、紙幣は、セット部２の奥に進むにつれて本体部２４０から離れるように第４傾斜面２４５によって案内される。こうして、紙幣はセット部２の奥へスムースに案内される。
【０１５０】
続いて、セット部２が繰り出し状態になると、ガード部２３は退避状態となり、押え部２４は押え状態となる。ガード部２３が退避状態となることにより、繰り出しベルト２２の表面２２１が紙幣と接触可能な状態となると共に、押え部２４が押え状態となることにより、紙幣が繰り出しベルト２２の表面２２１に押し付けられる。こうして、紙幣が繰り出しベルト２２の表面２２１に接触することにより、紙幣が繰り出しベルト２２により適切に繰り出されていく。
【０１５１】
尚、繰り出しベルト２２によって繰り出された紙幣は分離ローラー３７を通過することによって、１枚の紙幣だけがガイドローラー３６まで搬送され、ガイドローラー３６によって識別部３の内部へ取り込まれていく。
【０１５２】
以上のように、繰り出しベルト２２の幅方向の一方側に開口する開口部２１を有するセット部２に紙幣を該幅方向から挿入する場合であっても、第１ガード部２３１を設けることによって、紙幣が繰り出しベルト２２の側面に引っ掛かることを防止することができる。これにより、紙幣をセット部２へスムースに挿入することができる。
【０１５３】
それに加えて、第１ガード部２３１に第１傾斜面２３４を設けることによって、紙幣が第１ガード部２３１に接触したとしても、紙幣をセット部２の奥の方へスムースに案内することができる。
【０１５４】
また、第２ガード部２３２を設けることによって、セット部２の奥の方でも、紙幣が繰り出しベルト２２に接触することを防止することができる。さらに、第２ガード部２３２に第２傾斜面２３５を設けることによって、紙幣が第２ガード部２３２に接触したとしても、紙幣をセット部２のさらに奥の方へスムースに案内することができる。
【０１５５】
また、セット部２が繰り出し時に紙幣に当接する第１当接部２４１および第２当接部２４２を有する押え部２４を備える構成であっても、第１当接部２４１に第３傾斜面２４４を設け、第２当接部２４２に第４傾斜面２４５を設けることによって、紙幣が第１当接部２４１又は第２当接部２４２に接触したとしても、紙幣をセット部２の奥の方へスムースに案内することができる。
【０１５６】
このように、装置１においては、紙幣をセット部２へ開口部２１を介して繰り出しベルト２２の幅方向に挿入する場合であっても、紙幣をスムースに挿入することができる。これにより、紙幣を繰り出し方向とは異なる方向からセット部２に挿入することができる。
【０１５７】
尚、開口部２１は、繰り出し方向において紙幣が繰り出される向きとは反対側（即ち、装置１の前方）にも開口しているので、紙幣を繰り出し方向からセット部２に挿入することもできる。この場合においても、ガード状態における第１ガード部２３１及び第２ガード部２３２が繰り出しベルト２２の表面２２１よりも突出した状態となっているので、紙幣を表面２２１に接触させることなく、セット部２に挿入することができる。
【０１５８】
−セット部に関する他の形態−
尚、セット部２は、ガード部２３を有しているが、ガード部２３を省略してもよい。また、ガード部２３は、第１ガード部２３１及び第２ガード部２３２を有しているが、第１ガード部２３１又は第２ガード部２３２を省略してもよい。また、第１ガード部２３１及び第２ガード部２３２には、それぞれ第１傾斜面２３４及び第２傾斜面２３５が設けられているが、第１傾斜面２３４及び第２傾斜面２３５の少なくとも一方を省略してもよい。
【０１５９】
また、セット部２は、押え部２４を有しているが、押え部２４を省略してもよい。押え部２４の第１当接部２４１及び第２当接部２４２を省略し、本体部２４０で紙幣を繰り出しベルト２２に押し付けるようにしてもよい。また、第１当接部２４１及び第２当接部２４２の何れか一方を省略してもよい。さらに、第１当接部２４１及び第２当接部２４２には、それぞれ第３傾斜面２４４及び第４傾斜面２４５が設けられているが、第３傾斜面２４４及び第４傾斜面２４５の少なくとも一方を省略してもよい。
【０１６０】
また、前記の構成では、開口部２１は、上方及び前方に開口しているが、上方だけに開口する構成であってもよい。その場合、開口部２１は、挿入される紙幣よりも大きく形成される。
【０１６１】
ガード状態と退避状態とに切り替わるガード部２３に代えて、駆動ローラー２５１と従動ローラー２５２との間に巻き掛けられた繰り出しベルト２２を、待機状態と動作状態とに切り替わるように構成してもよい。図１８及び図１９は、繰り出しベルト２２が、待機状態と動作状態とに切り替わるよう構成されたセット部２を示している。この構成では、駆動ローラー２５１、従動ローラー２５２及びゲートローラー２５３がそれぞれ、フレーム２７に対して取り付けられている。従動ローラー２５２及びゲートローラー２５３は、フレーム２７に対して、回転可能に支持されている。駆動ローラー２５１は、図１９に示すように、モータ２６の出力軸２６１に固定されている。モータ２６が作動すると、出力軸２６１を介して駆動ローラー２５１が、図１８における反時計回り方向に回転する。これに伴い、フレーム２７に支持された繰り出しベルト２２も、反時計回り方向に回転する。
【０１６２】
出力軸２６１には、この出力軸２６１と一体となって回転する歯車２６２が取り付けられている。出力軸２６１と歯車２６２との間には、詳細な図示は省略するが、トルクリミッタが介設している。トルクリミッタは、出力軸２６１と歯車２６２との間のトルクの伝達が、所定の最大トルク以下となるように制限する。
【０１６３】
フレーム２７は、出力軸２６１を中心として回動するように支持されている。フレーム２７の下部には係合部２７１が固定されている。係合部２７１は、歯車２６２と噛み合う。係合部２７１は、歯車２６２に平行でかつ、この歯車２６２に噛み合うような歯車の一部分（つまり、扇型に切り出された歯車）によって構成されている。出力軸２６１の回転と共に歯車２６２が回転したときに、係合部２７１がそのトルクをフレーム２７に伝達することにより、フレーム２７は、出力軸２６１を中心として回動するようになる。
【０１６４】
図１８に破線で示すように、フレーム２７は、セット部２がセット状態にあるときには、図示を省略する付勢部材（例えばばね）によって、出力軸２６１を中心として時計回りに方向に付勢をされている。このときにフレーム２７に支持されている繰り出しベルト２２は、セット部２を上方から見たときに、開口部２１の縁よりも装置１の左側に位置している。繰り出しベルト２２は待機状態となる。紙幣を、開口部２１を介して上方から、即ち、繰り出しベルト２２の幅方向に挿入する場合であっても、紙幣が繰り出しベルト２２の第１側面２２３に引っ掛かることなく、紙幣をセット部２にスムースに挿入することができる。
【０１６５】
紙幣Ｂがセット部２にセットされた後、紙幣Ｂの繰り出しを行うときには、モータ２６が作動をする。このことにより、出力軸２６１が反時計回り方向に回転する。これに伴い、歯車２６２及び係合部２７１を介して、フレーム２７にトルクが伝達される。付勢部材によって、時計回り方向に付勢されているフレーム２７は、出力軸２６１を中心として反時計回り方向に回転をする。図１８に一点鎖線で示すように、繰り出しベルト２２が、開口部２１の縁よりも装置１の右側に移動するようになる。繰り出しベルト２２は、押さえ状態となった押え部２４と共に、紙幣Ｂを挟み込むようになる。こうして繰り出しベルト２２が、動作状態となる。モータ２６の作動が継続することにより、繰り出しベルト２２によって紙幣Ｂが繰り出されていく。繰り出しベルト２２が動作状態となれば、トルクリミッタによって出力軸２６１と歯車２６２との間で伝達されるトルクが所定の最大トルクに制限される。これにより、フレーム２７が反時計回り方向にさらに回転することが防止される。その結果、繰り出しベルト２２を動作状態に維持しながら、紙幣Ｂの繰り出しが可能になる。
【０１６６】
セット部２にセットされた紙幣Ｂが全て繰り出されれば、モータ２６の作動が停止される。これに伴い、フレーム２７は、付勢部材によって時計回り方向に付勢され、待機状態へと切り替わる。
【０１６７】
このような構成を採用しても、前記構成のセット部２と同様に、紙幣Ｂを、開口部２１を介してスムースにセット部２へ挿入することができる。
【０１６８】
（保持部の構成）
図２０は、保持部４の構成を示している。保持部４は、ストッパ４１と、札押さえ４３とを備えている。ストッパ４１は、第３搬送路５３から保持部４へと、装置１の前方に搬送される紙幣Ｂの搬送方向の先端縁に当たって、紙幣Ｂの先端縁を揃える機能を果たす。ストッパ４１は、図１及び図２０に示すように、第２ガイド５６の左側面から、装置１の左外方に突出するように取り付けられる。ストッパ４１は、前後方向に広がる保持部４において、左右方向に横切るように配設される。
【０１６９】
ストッパ４１は、前後方向の配設位置が変更可能となるように、第２ガイド５６に取り付けられている（図２０の矢印参照）。計数対象の紙幣Ｂのサイズ（特に長手方向の長さ）に合わせて、ストッパ４１の配設位置を変更することが可能である。
【０１７０】
ストッパ４１はまた、その基端部が垂直方向に延びる軸周りに回転可能となるように、第２ガイド５６に取り付けられている。ストッパ４１は、第２ガイド５６の左側面に対して、ほぼ直交するように、その側面から突出する状態から、装置１の前方に向かって回転をして第２ガイド５６の左側面に沿うように倒れる状態へと変更することが可能である。ストッパ４１の基端部には、ねじりばね４２が取り付けられており、ねじりばね４２は、ストッパ４１を、図２０における時計回り方向に付勢している。従って、紙幣Ｂの計数処理の最中等においては、ストッパ４１は第２ガイド５６の側面から突出するような状態となって、保持部４に搬送された紙幣Ｂの先端縁を揃える機能を果たす。一方、保持部４から紙幣Ｂを取り除くときには、ストッパ４１は紙幣Ｂに押されて回転可能である。ストッパ４１が退避をすることにより、保持部４から紙幣Ｂが取り出しやすくなる。
【０１７１】
ストッパ４１において、紙幣Ｂの先端縁が当たる面には、上下方向に延びる溝が水平方向に多数並んで形成されている。これにより、紙幣Ｂの先端縁が当たる面は、のこぎり状となっている。保持部４は、紙幣Ｂを立てた状態で保持するが、紙幣Ｂの先端縁がストッパ４１に設けた溝に入ることで、紙幣Ｂが水平方向（特に、装置１の左側方）に移動することが防止される。保持部４は、複数枚の紙幣を、水平方向に並べた状態で、一度に保持することが可能であるが、各紙幣Ｂの移動を防止することによって、後述する札押さえ４３と共に、複数枚の紙幣Ｂがバラバラになってしまうことが防止される。
【０１７２】
札押さえ４３は、保持部４に保持された紙幣Ｂの表面又は裏面を押さえて、紙幣Ｂを立てた状態にする機能を果たす。札押さえ４３はまた、保持部４に保持された複数枚の紙幣Ｂを厚み方向に押さえて重ねる機能も果たす。札押さえ４３は、第３ガイド５７に取り付けられている。札押さえ４３は、平面視でＬ字状に構成された第３ガイド５７の前端部に取り付けられ、そこから、装置１の前方へと延びている。札押さえ４３は、その基端部が垂直方向に延びる軸周りに回転可能となるように、第３ガイド５７に取り付けられている。札押さえ４３は、装置１の前方でかつ、第２ガイド５６の側面に近づく方向に延びる状態から、第２ガイド５６の側面から離れる方向へと、図２０における時計回り方向に回転をすることが可能である。札押さえ４３の基端部には、ねじりばね４４が取り付けられており、ねじりばね４４は、札押さえ４３を、図２０における反時計回り方向に付勢している。
【０１７３】
図２０から明らかなように、保持部４において第２ガイド５６の左側面は、第３搬送路５３よりも装置１の右側に位置している。第３搬送路５３から保持部４へと搬送された紙幣Ｂは、図２０に一点鎖線で示すように、装置１の右方へと移動しながら、前方へと移動する。札押さえ４３は、第３搬送路５３から保持部４へと搬送された紙幣Ｂを、第２ガイド５６の側面の方に寄せるように紙幣Ｂを案内する。札押さえ４３は、ストッパ４１と共に、保持部４において、紙幣Ｂが所定の位置に保持されるようにする。また、保持部４において保持をする紙幣Ｂの枚数が増えたときには、反時計回り方向に付勢されている札押さえ４３は、時計回り方向に回転をすることにより、保持部４において水平方向に並んで保持されている複数枚の紙幣Ｂの内、最も外側の紙幣Ｂの表面又は裏面に当たって、複数枚の紙幣Ｂを、第２ガイド５６の側面の方に寄せて保持する。こうして、複数枚の紙幣Ｂを、立てた状態で安定的に保持することが可能になる。
【０１７４】
保持部４から紙幣Ｂを取り除くときには、札押さえ４３は、紙幣Ｂに押されて反時計回り方向に回転することが可能である。こうして、札押さえ４３が退避をすることにより、保持部４から紙幣Ｂが取り出しやすくなる。
【０１７５】
（保持部のライトアップ構造）
この装置１は、第１及び第２ディスプレイ８１、８２を備えており、計数処理に関する情報は、これらの第１及び第２ディスプレイ８１、８２に表示される。従って、担当者（又は客）は、第１及び第２ディスプレイ８１、８２の表示内容を見ることによって、計数結果を始め、計数処理時にエラーが発生したことや、リジェクト紙幣が発生したこと等を認識することができる。しかしながら、計数処理が正常に終了したことや、計数処理時にエラーが発生したことや、リジェクト紙幣が発生したこと等は、第１及び第２ディスプレイ８１、８２の表示内容を見なくても認識できるようにすれば、装置１の利便性が向上する。
【０１７６】
そこで、この装置１では、保持部４にライトアップ構造を設けており、計数処理が正常に終了したこと、計数処理時にエラーが発生したこと、及び、リジェクト紙幣が発生したことを、保持部４に照射するライトの色によって示すように構成されている。
【０１７７】
具体的にライトアップ構造は、図２１及び図２２に示すように、ＬＥＤを有するＬＥＤ基板４５と、ＬＥＤ基板４５から照射された光を反射するミラー４６とを備えて構成されている。ＬＥＤ基板４５は、第３ガイド５７の内部に配設されており、装置１の前方に向かって光を照射するように構成されている。ＬＥＤ基板４５は、青色、赤色及び黄色の、少なくとも３色の光を照射可能に構成されている。ミラー４６は、第３ガイド５７の内部において、ＬＥＤ基板４５の前方位置に配設されている。ミラー４６は、第３ガイド５７に取り付けられた札押さえ４３の基端部近傍に配設されている。ミラー４６は、ＬＥＤ基板４５から照射された光を、斜め前方に反射させるように、ＬＥＤ基板４５に対して、所定の角度で配設されている。札押さえ５４は、透光性の材料によって構成されており、ミラー４６によって反射された光は、札押さえ５４の内部を通過して、保持部４における第２ガイド５６の左側面に照射される。札押さえ５４の内部を光が通過する際に、光が散乱をすることで、保持部４の全体がライトアップされる。
【０１７８】
制御部６は、紙幣の計数処理の状態に応じて、保持部４をライトアップする色を変更する。具体的に、紙幣の計数処理が正常に終了したときには、ＬＥＤ基板４５から青色の光を照射させるようにして、保持部４を青色の光でライトアップする。担当者は、保持部４が青色でライトアップされたことを見て、瞬時に、計数処理が正常に終了したことを認識することが可能になる。従って、第１又は第２ディスプレイ８１、８２を見て、計数結果を確認すると共に、速やかに保持部４から紙幣Ｂを取り出すことが可能になる。こうして、計数処理の効率化を図ることができる。
【０１７９】
制御部６はまた、紙幣の計数処理の最中にリジェクト紙幣が発生したときには、ＬＥＤ基板４５から黄色の光を照射させるようにして、保持部４を黄色の光でライトアップする。前述したように、リジェクト紙幣が発生したときには、そのリジェクト紙幣が、リジェクト口５４ａから飛び出した状態で、装置１が停止をするが、担当者は、保持部４が黄色でライトアップされたことを見て、瞬時に、リジェクト紙幣が発生をして、計数処理が停止していることを認識することが可能になる。従って、担当者は、速やかにリジェクト部５４から紙幣Ｂを取り出して、計数処理を、速やかに再開することができる。
【０１８０】
制御部６はさらに、例えば計数処理の最中に紙幣Ｂの詰まりが生じたといった、エラーが発生して、装置１が停止したときには、ＬＥＤ基板４５から赤色の光を照射させるようにして、保持部４を赤色の光でライトアップする。担当者は、保持部４が赤色でライトアップされたことを見て、瞬時に、エラーが発生をして、装置１が停止していることを認識することが可能になる。従って、担当者は、速やかにエラーの解除を開始することができる。
【０１８１】
こうして保持部４のライトアップを行うことにより、計数処理の効率化を図ることが可能になる。保持部４は、計数処理の終了時に紙幣Ｂが保持される箇所であるため、担当者（及び客）は、保持部４に目が行きやすい。保持部４をライトアップすることは、担当者に対し、装置１の状態を速やかに知らせる上で、有効である。但し、装置１においてライトアップを行う箇所は、保持部４に限定されるものではない。例えばセット部２をライトアップするようにしてもよい。
【０１８２】
また、リジェクト部５４にもライトアップ構造を設け、リジェクト紙幣が発生したときには、そのリジェクト部５４のライトアップ構造によって、リジェクト部５４をライトアップするようにしてもよい。こうすることで、担当者に対して、リジェクト紙幣の取り出しが必要であることを、直接的に認識させることが可能になる。
【０１８３】
さらに、搬送部５の搬送路に沿って、複数のＬＥＤを埋め込んでおいてもよい。この構成では、紙幣Ｂの搬送にあわせてＬＥＤを順次点灯させるようにしてもよい。また、紙幣Ｂが搬送路において詰まったときには、その詰まりが生じた箇所のＬＥＤを点灯させるようにしてもよい。
【０１８４】
また、計数処理の終了時等にライトアップをするだけでなく、装置１の待機状態においても、ライトアップをするようにしてもよい。例えば計数処理の実行が可能であるといった、装置１のスタンバイ状態を、ライトアップの色によって知らせるようにしてもよい。
【０１８５】
さらに、装置１の計数処理の最中に、処理中であることを、例えば点滅等によってライトアップするようにしてもよい。
【０１８６】
さらに、保持部４をライトアップするためのＬＥＤ基板４５を、第３ガイド５７の内部に配設するのではなく、第２ガイド５６の側面に埋め込むようにしてもよい。
【０１８７】
（コネクタの構成）
以下に、電源コードや、ケーブルが接続されるコネクタ７の構成について説明する。
【０１８８】
前述したように、装置１（つまり、本体）の前部右側には、セット部２が配置されている。装置１の前部左側には、保持部４が配置されている。セット部２及び保持部４は、双方とも、装置１の上部１１に設けられている。セット部２及び保持部４は、装置１の前部において、水平方向に並んで位置している。
【０１８９】
装置１の下部１２は、図１等に示すように左右方向の長さよりも前後の長さが長い略直方状の外形を有している。図２３に示すように、コネクタ７は、この下部１２を前側と後側とに２等分したときの前側に設けられている。したがって、コネクタ７は、セット部２及び保持部４と同様に、装置１の前部に配置されることになる。
【０１９０】
コネクタ７は、下部１２の前面に設けられている。コネクタ７は、電源コード、ＵＳＢケーブル、ＬＡＮケーブル及びＲＳ２３２Ｃケーブルを接続することができるように構成されている。コネクタ７に接続された電線７１は、装置１の前面から前方に延びて配設される。
【０１９１】
第１ディスプレイ８１は、図１、及び図２３においては仮想的に示すように、装置１の前部において、コネクタ７の上方位置に取り付けられている。第１ディスプレイ８１は、例えば液晶パネルを有している。第１ディスプレイ８１の上端部は、装置１の前面において、セット部２及び保持部４と、コネクタ７との間に取り付けられている。
【０１９２】
第１ディスプレイ８１は、上端から下端に向かうに連れて前方の斜め下方に傾斜している。コネクタ７は、第１ディスプレイ８１によって、上方から覆われる。装置１を卓７０の上に置いたときに、コネクタ７は、第１ディスプレイ８１によって隠れる。
【０１９３】
装置１は、図２３に示すように、例えば卓７０の上の縁の近くで、装置１の前部を担当者の方に向けて置かれる。
【０１９４】
コネクタ７に接続された電線７１は、装置１の前面から前方に向かって延ばすことが可能になる。電線７１はそのまま、卓７０の縁から下方に向かって延ばすことが可能になる。
【０１９５】
以上説明したように、前記の装置１は、電線７１が接続されるコネクタ７を、装置１の前側に設けたから、電線７１を、担当者に向かって延ばして、卓上に置くことが可能になる。そのことで、電線７１が卓上で邪魔にならない。
【０１９６】
また、コネクタ７を、担当者の方に向けることで、このコネクタ７に対する電線７１の着脱も、容易になる。
【０１９７】
また、セット部２と保持部４とが、上部１１の前部において、水平方向に並んでいるから、セット部２に紙幣を置いた担当者が、そのままの体勢で、保持部４から紙幣を取り出すことができるようになる。
【０１９８】
また、コネクタ７の上方に第１ディスプレイ８１を配置したから、コネクタ７を、第１ディスプレイ８１によって隠すことができる、
また、第１ディスプレイ８１は、セット部２及び保持部４と、コネクタ７との間に取り付けられているから、コネクタ７を隠しつつも、担当者がセット部２に紙幣を置いたり、保持部４から紙幣を取り出したり、するときに、第１ディスプレイ８１が邪魔にならない。
【０１９９】
−コネクタに関する他の形態−
尚、前記の構成では、コネクタ７は、装置１における下部１２の前面に設けられていたが、コネクタ７は、下部１２の左側面の前側に設けるようにしてもよいし、右側面の前側に設けるようにしてもよい。コネクタ７を、装置１における担当者に近い側に設けることによって、コネクタ７に接続された電線７１が、卓上において邪魔にならない。
【０２００】
また、前記の構成では、セット部２と保持部４とが、双方とも、装置１の前部に設けられていた。これとは異なり、セット部２を装置１の前部に設け、保持部４を装置１の後部に設けてもよい。この構成では、セット部２が設けられた装置１の前部に、コネクタ７を設けることが望ましい。また、保持部４を装置１の前部に設け、セット部２を装置１の後部に設けてもよい。この構成では、保持部４が設けられた装置１の前部に、コネクタ７を設けることが望ましい。
【０２０１】
（ディスプレイの構成）
上述したとおり、装置１は、少なくとも紙幣の計数結果が表示される複数のディスプレイ８１，８２を備えている。これにより例えば、第１ディスプレイ８１は主に担当者が見るためのディスプレイとし、第２ディスプレイ８２は主に客が見るためのディスプレイとすることによって、担当者と客の両方が紙幣の計数結果を容易に確認することができる。なお、複数のディスプレイはそれぞれ、例えば４インチ以上であることが好ましい。
【０２０２】
図２４は第２ディスプレイ８２が取り付けられた箇所周辺の拡大図である。図２４に示すように、複数のディスプレイの１つである第２ディスプレイ８２は、装置１に、ディスプレイ支持部８３を介して取り付けられている。ディスプレイ支持部８３は、上下方向に延びる支軸８４と、支軸８４に第２ディスプレイ８２を固定するマウント部８５とを備えている。ディスプレイ支持部８３は装置１に設けられた機構８６に設置されている。ここでは機構８６は、支軸８４が挿入される構成になっている。
【０２０３】
そして、支軸８４は、軸方向すなわち上下方向に所定範囲内で伸縮自在であり、かつ、軸周りに回転自在に構成されている。これにより、第２ディスプレイ８２の高さを自由に調整することができ、また、左右方向（水平方向）における第２ディスプレイ８２の向きを自由に調整することができる。また、マウント部８５は、支軸８４に対する第２ディスプレイ８２の取り付け角度を調整自在に構成されている。これにより、上下方向における第２ディスプレイ８２の向きを自由に調整することができる。すなわち、ディスプレイ支持部８３は、第２ディスプレイ８２について、高さ、並びに、上下方向および左右方向における向きを調整可能なように構成されている。なお、ディスプレイ支持部８３の構成はここに示したものに限られるものではなく、ディスプレイについて、高さ、並びに、上下方向および左右方向における向きを調整できる構成であれば、どのようなものであってもかまわない。
【０２０４】
また、上述した構成では、ディスプレイ支持部８３を設置可能な機構８６が、装置１の後部右隅に１個だけ設けられているものとしたが、ディスプレイ支持部８３を設置可能な機構を複数、設けてもよい。そして、この複数の機構の中から、ディスプレイ支持部８３を設置する機構を選択することによって、第２ディスプレイ８２の取り付け位置を容易に変更可能になる。
【０２０５】
図２５は紙幣計数装置の他の構成を示す平面図である。図２５の構成では、機構８６の他に、ディスプレイ支持部８３を設置可能な機構８６ａ，８６ｂ，８６ｃが設けられている。機構８６ａは装置１の後部左隅に、機構８６ｂは左側面前方に、機構８６ｃは右側面前方に、それぞれ設けられている。機構８６，８６ａ，８６ｂ，８６ｃの中からディスプレイ支持部８３を設置する機構を選択することによって、第２ディスプレイ８２の取り付け位置を容易に変更することができる。
【０２０６】
また図２６に示すように、装置１は、複数のディスプレイの１つである第１ディスプレイ８１が本体に着脱可能なように構成されていてもよい。例えば、装置１の後部にトルクヒンジによって固定された支持片８７ａ，８７ｂが設けられており、第１ディスプレイ８１の背面に設けられた爪部８８ａ，８８ｂを支持片８７ａ，８７ｂに引っかけて固定する構成とする。第１ディスプレイ８１を装置１から外したとき、支持片８７ａ，８７ｂは装置１から取り外すことができるのが好ましい。また、爪部８８ａ，８８ｂは、第１ディスプレイ８１に着脱可能に構成されているのが好ましい。なお図２６の構成の場合、第１ディスプレイ８１は、装置１本体から取り外した状態でも動作可能である必要がある。このため例えば、第１ディスプレイ８１に電源として充電池を内蔵させたり、あるいは、第１ディスプレイ８１を電源線で装置１本体と接続したりすればよい。また、信号の送受信のために、第１ディスプレイ８１を無線または有線で装置１本体と通信可能な構成にすればよい。
【０２０７】
図２６のような構成により、第１ディスプレイ８１を装置１本体に対して容易に着脱することが可能になる。したがって、担当者は第１ディスプレイ８１を装置１本体から取り外した状態で例えばタッチパネル操作等ができるので、担当者の操作性が向上する。また、支持片８７ａ，８７ｂがトルクヒンジによって装置１に固定されているので、第１ディスプレイ８１を取り付けたとき、上下方向における角度を自由に調整することができる。なお、ディスプレイを取り付ける構成はここに示したものに限られるものではなく、ディスプレイが本体に着脱可能であれば、どのようなものであってもかまわない。また、第１ディスプレイ８１は装置１にネジ止めで固定するようにしてもよい。
【０２０８】
なお、上述した紙幣計数装置１の構成はあくまでも一例であり、複数のディスプレイを備えた紙幣計数装置の構成はここで説明したものに限られるものではない。例えば、ディスプレイの設置位置、構造例えばタッチパネルか否かなど、または、担当者向けか客向けか、などについては、ここで開示されたものに限られるものではない。またここでは、２つのディスプレイを備えた装置構成について説明したが、３つ以上のディスプレイを備えた装置構成としてもかまわない。
【０２０９】
（交換チップパターンの表示）
本実施形態に係る装置１は、例えば、チップを用いた遊技を行う遊技場に設置されるものとする。そして、装置１は、紙幣の計数値が表す金額と交換可能であるチップの組合せ（以下、チップ交換パターンという）を、画面表示部に表示可能に構成されている。これにより、遊技の担当者は、紙幣とチップとの交換作業を、素早くかつ正確に実行することができる。
【０２１０】
図２７は装置１においてチップ交換パターンの表示に関連する機能構成を示すブロック図である。チップ交換パターンの表示に直接関連しない構成については、図示を省略している。図２７に示すように、装置１は、担当者などのユーザによる操作入力が行われる操作入力部６６、外部との通信を制御する通信制御部６７、および、画面表示部（本実施形態では第１ディスプレイ８１および第２ディスプレイ８２）の表示内容を制御する画面制御部６８を備えている。操作入力部６６は、本実施形態では、担当者用の画面表示部である第１ディスプレイ８１に設けられたタッチパネルによって実現されている。ただしこれに限られるものではなく、例えば、装置１本体に設けられたスイッチ類や操作パネルによって実現されてもよい。通信制御部６７および画面制御部６８は、本実施形態では、上述した制御部６の１つの機能として実現されており、例えば、マイクロコンピュータとプログラムの組合せによって実現される。ただしこれに限られるものではなく、制御部６とは独立したシステムＬＳＩ等によって実現されてもよい。
【０２１１】
そして装置１は、例えば、遊技場を集中管理している上位サーバー１００と、コネクタ７を介して通信可能なように接続されている。通信制御部６７は、上位サーバー１００から、チップ交換パターン生成の条件となる情報を受信し、画面制御部６８に送る。チップ交換パターン生成の条件とは例えば、チップを用いた遊技における利用単位金額の最小値および最大値や、チップの金額の種類を示す金種情報等である。上位サーバー１００は、例えば遊技場の営業開始前に、装置１に、当該装置１が置かれたテーブルにおけるチップ交換パターン生成の条件となる情報を送信する。例えばここでは、利用単位金額の最小値＄２５、最大値＄１０００、チップの金種＄２５，＄５０，＄１００といった情報を、装置１に送信する。
【０２１２】
装置１が紙幣を計数すると、画面制御部６８は、当該計数値に対応するチップ交換パターンを生成し、第１ディスプレイ８１および第２ディスプレイ８２に表示する。チップ交換パターンの生成は、上位サーバー１００から事前に送信された情報を基にして、自動的に行われる。このときの演算処理は例えば、公知の両替アルゴリズムによって実行可能である。なお、後述するように、画面に表示するチップ交換パターンは、複数種類であってもよいし、単独であってもよい。本実施形態では、画面制御部６８は、複数種類のチップ交換パターンを、併せて画面に表示する候補表示モードを有している。また、チップ交換パターンの表示は、例えば操作入力部６６の操作を受けたタイミングで、実行される。
【０２１３】
紙幣とチップの交換が行われると、通信制御部６７は、交換した紙幣の金種とその枚数の情報を上位サーバー１００に送信する。これにより、遊技場は、入金情報を容易に一元管理することができる。
【０２１４】
図２８（ａ）〜（ｃ）は画面表示の例である。図２８の画面は第１ディスプレイ８１に表示されることを想定している。なお、客用の表示画面である第２ディスプレイ８２にも同様の表示がなされるが、第２ディスプレイ８２にはタッチパネルが設けられていないので、タッチ用ボタンは表示されない。
【０２１５】
図２８（ａ）は紙幣を計数したときの画面表示の例であり、計数値Ｄ１として「＄８００」が表示されている。Ｄ２は通貨表示であり、図では香港ドルの通貨コード「ＨＫＤ」が表示されている。Ｄ３は承認ボタンであり、計数結果が客に承認されたとき、担当者が承認ボタンＤ３を押す（タッチする）ことによって、チップ交換パターンの表示画面に切り替わる。
【０２１６】
図２８（ｂ）はチップ交換パターンの表示画面の例であり、複数種類（図では４種類）のチップ交換パターンＣ１〜Ｃ４が表示されている。すなわち、図２８（ｂ）は上述した候補表示モードの一例である。なお、チップ交換パターンには様々なものが存在するため、生成アルゴズムに所定の制約条件を与えることによって、特徴のあるチップ交換パターンを生成することができる。
【０２１７】
例えば、チップ交換パターンＣ１は、「最少額のチップのみを用いる」という制約条件を与えたものである。これにより、ここでの最少額である＄２５チップのみからなるチップ交換パターンＣ１が生成されている。チップ交換パターンＣ２は、「少額のチップ２種類のみを用いる」＆「チップ毎の合計金額のばらつきが最小」という制約条件を与えたものである。これにより、＄２５と＄５０のチップからなり、チップ毎の合計金額がともに＄４００であるチップ交換パターンＣ２が生成されている。チップ交換パターンＣ３は、「交換可能な全てのチップを用いる」＆「少額チップを優先する」という制約条件を与えたものである。これにより、＄１００チップ１枚、＄５０チップ２枚、＄２５チップ２４枚というチップ交換パターンＣ３が生成されている。チップ交換パターンＣ４は、「交換可能な全てのチップを用いる」＆「チップ毎の合計金額のばらつきが所定値以下」という制約条件を与えたものである。これにより、＄１００チップ３枚、＄５０チップ５枚、＄２５チップ１０枚という、比較的バランスがとれたチップ交換パターンＣ４が生成されている。
【０２１８】
図２８（ｃ）は選択されたチップ交換パターンの表示画面の例であり、図２８（ｂ）の画面からチップ交換パターンＣ４が選択された場合を示している。図２８（ｃ）では、チップ交換パターンＣ４が画面に単独で表示されている。また、直観で分かりやすいように、現実のチップを模したイラストが用いられている。チップ交換パターンを分かりやすく表示するためには例えば、各チップの表示を、当該チップの現実の色に合わせて行えばよい。
【０２１９】
図２９は紙幣計数からチップ交換までにおける、装置１およびこれを操作する担当者の動作の例を示すフローチャートである。まず、担当者は、チップ交換を求める客から紙幣を受け取ると（Ｓ１１）、この紙幣を装置１のセット部２にセットし、計数を実行する（Ｓ１２）。計数が終了すると、装置１は第１ディスプレイ８１および第２ディスプレイ８２に計数結果を表示する（Ｓ１３）。このときの画面は、例えば図２８（ａ）のようになる。
【０２２０】
担当者は、計数が終了した紙幣を、例えば遊技場に設置された回収ボックスに入れ、計数結果を承認する（Ｓ１４）。ここでの承認は例えば、図２８（ａ）の画面における承認ボタンＤ３をタッチすることによって行われる。すると、装置１は、第１ディスプレイ８１および第２ディスプレイ８２にチップ交換パターンを表示する（Ｓ１５）。このときの画面は、例えば図２８（ｂ）のようになる。客は、客用の表示画面である第２ディスプレイ８２を見て、希望するチップ交換パターンを担当者に告げる。担当者は、客の指示に従ってチップ交換パターンを選択する（Ｓ１６）。ここでは担当者は、担当者用の表示画面である第１ディスプレイ８１に対して、客が告げたチップ交換パターンの位置をタッチする。
【０２２１】
装置１は、選択されたチップ交換パターンを、第１ディスプレイ８１および第２ディスプレイ８２に表示する（Ｓ１７）。このときの画面は、例えば図２８（ｃ）のようになる。担当者は、表示されたチップ交換パターンに従って、客にチップを渡す（Ｓ１８）。なお、計数値に対してチップ交換時に端数が出る場合は、その端数の金額もチップ交換パターンと併せて画面に表示し、客にチップを渡す際にその金額を返すようにすればよい。
【０２２２】
このように本実施形態によると、紙幣の計数値を表示するための第１および第２ディスプレイ８１，８２に、画面制御部６８の制御によって、紙幣の計数値Ｄ１が表す金額と交換可能であるチップの組合せを示すチップ交換パターンＣ１〜Ｃ４を表示することができる。このため、当該装置１が、例えばチップを用いた遊技を行う遊技場に設置された場合に、遊技の担当者が、紙幣とチップとの交換作業を、素早くかつ正確に実行することができる。また、チップ交換パターンＣ１〜Ｃ４が、遊技における利用単位金額の最小値および最大値とチップの金額の種類を示す金種情報とを用いて生成されるので、当該装置１は、状況に応じた的確なチップ交換パターンＣ１〜Ｃ４を表示することができる。
【０２２３】
なお、上の実施形態では、複数種類のチップ交換パターンを画面に表示（候補表示モード）して、客にいずれかのチップ交換パターンを選択してもらうものとしたが、本開示はこれに限られるものではない。例えば、最初に１種類のチップ交換パターンを画面に表示し、客がそのチップ交換パターンを気に入らないときは、次のチップ交換パターンを画面に表示する、というような制御を行ってもかまわない。
【０２２４】
また、上の実施形態では、候補表示モードで選択されたチップ交換パターンを、図２８（ｃ）に示すように、改めて単独で表示するものとしたが、本開示はこれに限られるものではない。例えば、図３０に示すように、候補表示モードの画面において、選択されたチップ交換パターンＣ４を強調して表示してもよい。強調する態様としては、図３０に示すように、拡大したり、縁取りしたり、ハイライト化したり、その他様々なものが考えられる。
【０２２５】
また、チップ交換パターンの生成のための制約条件は、上述したものに限られるものではなく、その他様々なものが考えられる。例えば、各チップの上限枚数を制限する、高額チップを優先する、特定のチップを避ける、などといった制約条件が考えられる。また、これらの制約条件は、上位サーバー１００から送信するようにしてもよい。例えば、営業開始前に制約条件を送信してもいいし、あるいは、客に応じて、制約条件の優先順位を変更するようにしてもよい。
【０２２６】
また、上の実施形態では、装置１は第１および第２ディスプレイ８１，８２という２つの画面表示部を有しており、各画面表示部において、チップ交換パターンを表示するものとしたが、これに限られるものではない。画面表示部の個数は１個でもいいし、３個以上であってもよい。また、画面表示部が複数個ある場合、一部の画面表示部にのみ、チップ交換パターンを表示するようにしてもよい。
【０２２７】
（通貨識別情報及び計数値の表示モード）
図３１（ａ），（ｂ）は通貨識別情報及び紙幣の計数値の両方を示す表示画面の一例である。図３１（ａ），（ｂ）の例では、通貨識別情報の一例として、通貨コードを画面に表示している。「ＨＫＤ」は香港ドルの通貨コードである。図３１（ａ）では、画面中央に紙幣の計数値ＶＬが表示されており、画面の左上方に通貨識別情報ＣＩ１が小さく表示されている。一方、図３１（ｂ）では、画面の左手に通貨識別情報ＣＩ２が大きく表示されている。本実施形態では、画面制御部６８は、通貨識別情報及び紙幣の計数値の表示モードとして、図３１（ａ）のような画面を示す表示モード（第１モード）と、通貨識別情報の表示態様が第１モードと異なっており、図３１（ｂ）のような画面を示す（第２モード）とを有している。すなわち、第２モードでは、通貨識別情報ＣＩ２が、第１モードと比較してより強調されて表示されている。
【０２２８】
そして、画面制御部６８は、装置１の動作状態に応じて、通貨識別情報及び紙幣の計数値の表示モードを切り替えることができる。例えば、装置１が計数動作を行っている計数状態において、紙幣の計数値がより見やすくなるように、第１モード（図３１（ａ））を用いる一方、装置１が計数動作を行っていない待機状態において、計数対象の通貨種別がより分かりやすいように、第２モード（図３１（ｂ））を用いる。
【０２２９】
図３２は装置１の動作状態に伴う画面表示の変化の一例を示す図である。図３２の画面は第１ディスプレイ８１に表示されることを想定している。なお、客用の表示画面である第２ディスプレイ８２にも同様の表示がなされるが、第２ディスプレイ８２にはタッチパネルが設けられていないので、タッチ用ボタンは表示されない。
【０２３０】
まず、図３２（ａ）は装置１が待機中のときの画面例である。画面制御部６８は第２モードを用いており、通貨識別情報が大きく表示されている。このとき、担当者が操作入力部６６（ここでは第１ディスプレイ８１のタッチパネル）を介して通貨種別を変更すると、通貨識別情報の内容が変化する。「ＭＯＰ」はマカオパタカの通貨コードである。担当者が客から紙幣を受け取り、この紙幣を装置１のセット部２にセットし、計数を開始する操作を行う。すると、画面制御部６８は表示モードを第１モードに切り替える。これにより、図３２（ｂ）のような画面に変化し、通貨識別情報の表示が小さくなり、紙幣の計数値がより目立つようになる。計数が完了すると図３２（ｃ）のような画面になる。担当者がタッチパネルの「ＡＣＣＥＰＴ」ボタンを押下すると、計数値の確定処理が行われ、確定処理が終了した後、画面制御部６８は表示モードを第２モードに切り替える。これにより、図３２（ｄ）のような画面にもどる。
【０２３１】
このように本実施形態によると、画面制御部６８の制御によって、計数対象として設定された通貨種別を示す通貨識別情報と、紙幣の計数値とが、第１および第２ディスプレイ８１，８２に併せて表示される。これにより、装置１を操作する担当者や装置１を利用する客は、紙幣の計数結果とともに、どの種類の通貨が計数されたかを容易に認識することができる。また、通貨識別情報および計数値の表示モードとして、通貨識別情報の表示態様が異なる２種類の表示モードがあるので、例えば紙幣計数装置１の動作状態に応じて、通貨識別情報の表示態様を適切に選択することができる。
【０２３２】
なお、上の実施形態では、画面制御部６８は、通貨識別情報及び紙幣の計数値の両方を示す表示モードとして、２種類のモードを有するものとしたが、これに限られるものではなく、３種類以上の表示モードを有してもいい。あるいは、１種類のみの固定された表示モードを有していてもよい。
【０２３３】
また、上の実施形態では、表示する通貨識別情報の例として通貨コードを用いて説明を行ったが、通貨識別情報は通貨コードに限られるものではなく、例えば、通貨の名称、通貨を表すイラストや画像などを用いてもかまわない。
【０２３４】
また、上の実施形態では、装置１は第１および第２ディスプレイ８１，８２という２つの画面表示部を有しており、各画面表示部において、通貨識別情報及び紙幣の計数値の両方を表示するものとしたが、これに限られるものではない。画面表示部の個数は１個でもいいし、３個以上であってもよい。また、画面表示部が複数個ある場合、一部の画面表示部にのみ、通貨識別情報及び紙幣の計数値の両方を表示するようにしてもよい。
【０２３５】
また、表示モードの切り替えを行うタイミングは、上で説明したものに限られるものではない。例えば、通貨識別情報を大きく表示する第２モードから第１モードに切り替えるタイミングとして、紙幣がセット部２に置かれたことをセンサで検知したタイミング、最初の紙幣が識別部３を通過したタイミング、最初の紙幣が保持部４に出たタイミングなどを用いてもよい。また、通貨識別情報を強調して表示するモードを、装置１が担当者を例えばＩＤカードの読み取り等によって認証したときや、設定変更を行うときなどに用いてもよい。
【０２３６】
また、上の実施形態では、複数の表示モード間で、通貨識別情報の表示サイズを変えるものとしたが、通貨識別情報の表示態様を変える手法は、これに限られるものではない。例えば、通貨識別情報に付す色や模様等を変えてもよいし、表示する輝度等を変えてもかまわない。あるいは、通貨識別情報を、第１モードでは点滅表示し、第２モードでは点滅なしで表示するようにしてもよい。
【０２３７】
−他の表示モードの例−
図３３（ａ），（ｂ）は通貨識別情報及び紙幣の計数値の両方を示す表示画面の他の例である。図３３（ａ）では、通貨識別情報ＣＩ３として、通貨のイメージカラーすなわち通貨の種別を表す色（例えば赤色）を表示している。一方、図３３（ｂ）では、通貨識別情報ＣＩ４として、通貨コードとイメージカラーとを併せて表示している。すなわち、画面制御部６８は、通貨識別情報及び紙幣の計数値の表示モードとして、図３３（ａ）のように通貨種別を色のみで表示する表示モード（第１モード）と、図３３（ｂ）のように通貨種別を文字および色で表示する表示モード（第２モード）とを有していてもよい。すなわち、第２モードでは、通貨識別情報ＣＩ４が、第１モードと比較してより強調されて表示されている。そして、画面制御部６８は、例えば、紙幣計数装置１が計数動作を行っている計数状態において、紙幣の計数値がより見やすくなるように、第１モード（図３３（ａ））を用いる一方、紙幣計数装置１が計数動作を行っていない待機状態において、計数対象の通貨種別がより分かりやすいように、第２モード（図３３（ｂ））を用いるようにすればよい。
【０２３８】
図３４（ａ），（ｂ）は通貨識別情報及び紙幣の計数値の両方を示す表示画面の他の例である。図３４（ａ）では、通貨識別情報ＣＩ５として、紙幣計数装置１が計数の対象としている複数の通貨種別（図では「ＨＫＤ」香港ドルと「ＭＯＰ」マカオパタカ）が表示されている。一方、図３４（ｂ）では、通貨識別情報ＣＩ６として、計数対象候補となる複数の通貨種別が表示され、かつ、計数対象として設定された通貨種別（ここでは「ＨＫＤ」香港ドル）が他の通貨種別と比べて強調して表示されている。図３４（ｂ）の例では、「ＨＫＤ」がハイライト表示されている一方で、「ＭＯＰ」の表示輝度が低下している。すなわち、画面制御部６８は、通貨識別情報及び紙幣の計数値の表示モードとして、図３４（ｂ）のように、計数対象として設定された通貨種別を他の通貨種別と比べて強調表示する表示モードを有していてもよい。例えば、装置１が通貨種別の認識機能を備えている場合には、セットされた紙幣を計数する際に、画面制御部６８は、図３４（ｂ）に示すように、装置１が認識した通貨種別を強調表示するようにしてもよい。
【０２３９】
また、本実施形態に係る装置１は、例えばチップを用いた遊技を行う遊技場に設置された場合、紙幣の計数値のデータを遊技場に設けられたモニターに表示させるように構成することも可能である。例えば、装置１を遊技場に構築された情報システムと有線または無線で接続し、装置１によって計数された計数値のデータを当該情報システムに送信可能にする。送信された計数値は、当該情報システムにネットワークを介して接続されたモニターに表示される。これにより、遊技場の客は、紙幣の計数値を遊技場のモニターを介して見ることができる。この場合、装置１に設けられた客用の画面表示部である第２ディスプレイ８２を省いてもかまわない。
【０２４０】
なお、以上の説明は紙幣計数装置を例にとって行ったが、上述したような通貨識別情報及び計数値の表示については、例えば、硬貨を計数する硬貨計数装置にも適用してもよい。あるいは、紙幣および硬貨の両方を計数する装置にも適用してもよい。すなわち、本開示の内容は、複数種類の通貨について、貨幣を計数可能な貨幣計数装置に適用することが可能である。
【符号の説明】
【０２４１】
１  紙幣計数装置
２  セット部
３  識別部
３１  光学センサ
３２  厚みセンサ
３３  磁気センサ
３６  ガイドローラー
４  保持部
５  搬送部
５０  開口部
５１〜５３  第１〜第３搬送路
５５〜５７  第１〜第３ガイド
５１０  カバー部材
Ｂ  紙幣
【図１】
2016197317.tif 000003
【図２】
2016197317.tif 000004
【図３】
2016197317.tif 000005
【図４】
2016197317.tif 000006
【図５】
2016197317.tif 000007
【図６】
2016197317.tif 000008
【図７】
2016197317.tif 000009
【図８】
2016197317.tif 000010
【図９】
2016197317.tif 000011
【図１０】
2016197317.tif 000012
【図１１】
2016197317.tif 000013
【図１２】
2016197317.tif 000014
【図１３】
2016197317.tif 000015
【図１４】
2016197317.tif 000016
【図１５】
2016197317.tif 000017
【図１６】
2016197317.tif 000018
【図１７】
2016197317.tif 000019
【図１８】
2016197317.tif 000020
【図１９】
2016197317.tif 000021
【図２０】
2016197317.tif 000022
【図２１】
2016197317.tif 000023
【図２２】
2016197317.tif 000024
【図２３】
2016197317.tif 000025
【図２４】
2016197317.tif 000026
【図２５】
2016197317.tif 000027
【図２６】
2016197317.tif 000028
【図２７】
2016197317.tif 000029
【図２８】
2016197317.tif 000030
【図２９】
2016197317.tif 000031
【図３０】
2016197317.tif 000032
【図３１】
2016197317.tif 000033
【図３２】
2016197317.tif 000034
【図３３】
2016197317.tif 000035
【図３４】
2016197317.tif 000036